(57)【要約】【課題】貯留ホッパーを備える構成のコンバインにおいて、支持構造を複雑にすることなく、脱穀装置等のメンテナンス作業を容易に行えるようにすることが望まれていた。【解決手段】機体左右方向一方側に偏倚する脱穀装置４と、機体左右方向他方側に偏倚する状態及び脱穀装置４と横並びの状態で設けられる貯留ホッパー５と、貯留ホッパー５を支持するホッパー支持フレーム２４と、脱穀装置４と貯留ホッパー５との間に位置して前後方向に延びる作業台３２と、が備えられ、作業台３２が、ホッパー支持フレーム２４に支持されている。【選択図】図２
2020103057.tif 000002
【特許請求の範囲】
【請求項１】
機体左右方向一方側に偏倚する状態で設けられ、刈取穀稈を脱穀処理する脱穀装置と、
機体左右方向他方側に偏倚する状態及び前記脱穀装置と横並びの状態で設けられ、且つ、脱穀処理された穀粒を貯留する貯留空間及び貯留している穀粒を排出可能な排出部を有する貯留ホッパーと、
前記貯留ホッパーを支持するホッパー支持フレームと、
前記脱穀装置と前記貯留ホッパーとの間に位置して前後方向に延びる作業台と、が備えられ、
前記作業台が、前記ホッパー支持フレームに支持されているコンバイン。
【請求項２】
前記脱穀装置と前記貯留ホッパーとの間に、前記脱穀装置から搬出される穀粒を上方に搬送して前記貯留ホッパーの上部に供給する揚穀装置が備えられ、
前記揚穀装置を前記脱穀装置のうちの前記貯留ホッパー側の部分に支持するステーが備えられ、
前記作業台は、一端側が前記ステーに支持され、他端側が前記ホッパー支持フレームに支持されている請求項１に記載のコンバイン。
【請求項３】
前記作業台として、前記揚穀装置よりも前側に位置する前部作業台と、前記揚穀装置よりも後側に位置する後部作業台とが備えられ、
前記ステーとして、前記揚穀装置の前側に位置する前側ステーと、前記揚穀装置の後側に位置する後側ステーとが備えられ、
前記前部作業台は、後部側が前記前側ステーに支持され、前部側が前記ホッパー支持フレームに支持され、
前記後部作業台は、前部側が前記後側ステーに支持され、後部側が前記ホッパー支持フレームに支持されている請求項２に記載のコンバイン。
【請求項４】
前記ホッパー支持フレームに、前記貯留ホッパーの前部を支持する前側フレームと、前記貯留ホッパーの後部を支持する後側フレームと、前記前側フレームと前記後側フレームとを繋ぐ前後向きの前後向きフレームとが備えられている請求項１〜３のいずれか１項に記載のコンバイン。
【請求項５】
前記作業台は、前記前後向きフレームに支持されている請求項４に記載のコンバイン。
【請求項６】
前記ホッパー支持フレームに、前記脱穀装置に連結され且つ左右方向に延びる左右向きフレームが備えられ、
前記作業台が前記左右向きフレームに支持されている請求項１から５のいずれか１項に記載のコンバイン。
【請求項７】
前記ホッパー支持フレームに、前記貯留ホッパーの前部を支持する前側フレームと、前記貯留ホッパーの後部を支持する後側フレームと、前記前側フレームと前記後側フレームとを繋ぐ前後向きの前後向きフレームとが備えられ、
前記左右向きフレームは、前記前後向きフレームと前記脱穀装置とを連結するとともに、前記左右向きフレームの前記貯留ホッパー側の端部が前記前後向きフレームに載置支持されている請求項６に記載のコンバイン。
【請求項８】
前記前後向きフレームは、断面形状が屈曲部を有する形状である請求項７に記載のコンバイン。
【請求項９】
前記貯留ホッパーあるいは前記ホッパー支持フレームに電装品が支持され、
前記電装品に対する電気配線が、前記貯留ホッパーよりも前側箇所から前記前後向きフレームに沿わされて延びる状態で前記前後向きフレームに支持されている請求項８に記載のコンバイン。
【請求項１０】
前記電装品として前記貯留ホッパーの下方を照らす作業灯が備えられ、
前記作業灯が前記前後向きフレームの下方に位置する状態で前記ホッパー支持フレームに支持されている請求項９に記載のコンバイン。
【発明の詳細な説明】
【技術分野】
【０００１】
本発明は、刈取穀稈を脱穀処理する脱穀装置と脱穀処理された穀粒を貯留する貯留ホッパーとが左右方向に並ぶ状態で備えられているコンバインに関する。
【背景技術】
【０００２】
上記コンバインにおいて、従来では、貯留ホッパーの機体後部側に燃料タンクが備えられ、その燃料タンクの上面を作業台として利用するようにして、脱穀装置や貯留ホッパーのメンテナンス作業を行えるようにしたものがあった（例えば、特許文献１参照）。
【先行技術文献】
【特許文献】
【０００３】
【特許文献１】特開２０１４−１８３８１５号公報
【発明の概要】
【発明が解決しようとする課題】
【０００４】
上記従来構成では、燃料タンクを簡易的な作業台として利用するものに過ぎないので、メンテナンス作業、特に、背高で大型の脱穀装置における扱室の清掃や点検作業等は行い難いものとなっていた。
【０００５】
ところで、脱穀処理にて得られた穀粒を貯留する穀粒貯留装置として、穀粒タンクを備える構成であれば、穀粒タンク及び穀粒排出用のアンローダ等を支持するために支持強度の大きい複数の支柱が前後方向に間隔をあけて存在することから、これらの支柱を利用して、脱穀装置と貯留ホッパーとの間の高い位置に作業台を設けることが考えられた。しかし、貯留ホッパーを備える構成であれば、上記したような穀粒タンクを支持する複数の支柱が存在しないことから、その構成はそのまま適用することができない。
【０００６】
そこで、貯留ホッパーを備える構成のコンバインにおいて、支持構造を複雑にすることなく、脱穀装置等のメンテナンス作業を容易に行えるようにすることが望まれていた。
【課題を解決するための手段】
【０００７】
本発明に係るコンバインの特徴構成は、機体左右方向一方側に偏倚する状態で設けられ、刈取穀稈を脱穀処理する脱穀装置と、機体左右方向他方側に偏倚する状態、且つ、前記脱穀装置と横並びの状態で設けられ、脱穀処理された穀粒を貯留する貯留空間及び貯留している穀粒を排出可能な排出部を有する貯留ホッパーと、前記貯留ホッパーを支持するホッパー支持フレームと、前記脱穀装置と前記貯留ホッパーとの間に設けられ、前後方向に沿って延びる作業台と、が備えられ、前記作業台が、前記ホッパー支持フレームに支持されている点にある。
【０００８】
本発明によれば、横並び状態の脱穀装置と貯留ホッパーとの間に前後方向に延びる作業台が備えられる。例えば、脱穀装置の内部の清掃や点検等のメンテナンス作業を行う場合には、この作業台に乗って作業することにより、身体をできるだけ作業対象となる位置に近づけた状態で、作業を容易に行うことができる。
【０００９】
作業台は、貯留ホッパーを支持するために備えられているホッパー支持フレームを用いて支持される。その結果、特別な支持用の部材を機体フレームから立設する等の構造の複雑化を招くことなく、簡易な構成で作業台を支持することができる。
【００１０】
従って、貯留ホッパーを備える構成のコンバインにおいて、支持構造を複雑にすることなく、脱穀装置等のメンテナンス作業を容易に行えるようにすることが可能となった。
【００１１】
本発明においては、前記脱穀装置と前記貯留ホッパーとの間に、前記脱穀装置から搬出される穀粒を上方に搬送して前記貯留ホッパーの上部に供給する揚穀装置が備えられ、前記揚穀装置を前記脱穀装置のうちの前記貯留ホッパー側の部分に支持するステーが備えられ、前記作業台のうちの前後方向一方側部分が前記ステーに支持され、前記作業台のうちの前後方向他端部分が前記ホッパー支持フレームに支持されていると好適である。
【００１２】
本構成によれば、揚穀装置が脱穀装置と貯留ホッパーとの間に備えられるので、脱穀装置と貯留ホッパーとの間において前後に延びる作業台は、揚穀装置の近傍に位置することになる。そこで、揚穀装置を脱穀装置に支持するためのステーを有効に利用することで、支持構造を複雑にすることなく、作業台の揚穀装置に近い側の一端部を支持することができる。
【００１３】
本発明においては、前記作業台として、前記揚穀装置よりも前側に位置する前部作業台と、前記揚穀装置よりも後側に位置する後部作業台とが備えられ、前記ステーとして、前記揚穀装置よりも前側に位置する前側ステーと、前記揚穀装置よりも後側に位置する後側ステーとが備えられ、前記前部作業台の後端部が前記前側ステーに支持され、前記前部作業台の前端部が前記ホッパー支持フレームに支持され、前記後部作業台の前端部が前記後側ステーに支持され、前記後部作業台の後端部が前記ホッパー支持フレームに支持されていると好適である。
【００１４】
本構成によれば、脱穀装置において穀粒が排出される箇所は、前後中間位置に設けられるので、揚穀装置は、脱穀装置と貯留ホッパーとの前後向きの空き領域のうちの前後中間位置に位置する。そこで、作業台として、揚穀装置よりも前側に位置する前部作業台と揚穀装置よりも後側に位置する後部作業台とに分離させて配置することで、空き領域を有効に利用して作業台を配備することができる。そして、揚穀装置を脱穀装置に対して強固に支持するために備えられる前側ステーと後側ステーとを有効に利用して、前部作業台と後部作業台とを合理的に支持することができる。
【００１５】
本発明においては、前記ホッパー支持フレームに、前記貯留ホッパーの前部を支持する前側フレームと、前記貯留ホッパーの後部を支持する後側フレームと、前記前側フレームと前記後側フレームとを繋ぐ前後向きの前後向きフレームとが備えられていると好適である。
【００１６】
本構成によれば、ホッパー支持フレームは、その前部を支持するために上下に剛性の高い前側フレームと、後部を支持するために上下に剛性の高い後側フレームとが、前後向きフレームにより連結されるので、ホッパー支持フレーム全体の剛性が前後に亘って高められる。
【００１７】
本発明においては、前記作業台は、前記前後向きフレームに支持されていると好適である。
【００１８】
本構成によれば、ホッパー支持フレームの剛性を高めるために備えられた前後向きフレームを用いて、作業台を強固に支持することができる。
【００１９】
本発明においては、前記ホッパー支持フレームに、前記脱穀装置に連結され且つ左右方向に延びる左右向きフレームが備えられ、前記作業台が前記左右向きフレームに支持されていると好適である。
【００２０】
本構成によれば、脱穀装置は大型で且つ剛性の高い装置であり、このような脱穀装置に連結された左右向きフレームがホッパー支持フレームに備えられるので、ホッパー支持フレーム全体の剛性をさらに高められる。そして、このような左右向きフレームを有効に利用して作業台を強固に支持することができる。
【００２１】
本発明においては、前記ホッパー支持フレームに、前記貯留ホッパーの前部を支持する前側フレームと、前記貯留ホッパーの後部を支持する後側フレームと、前記前側フレームと前記後側フレームとを繋ぐ前後向きの前後向きフレームとが備えられ、前記左右向きフレームは、前記前後向きフレームと前記脱穀装置とを連結するとともに、前記左右向きフレームの前記貯留ホッパー側の端部が前記前後向きフレームに載置支持されていると好適である。
【００２２】
本構成によれば、ホッパー支持フレームは、上下に剛性の高い前側フレーム及び後側フレーム、前後に亘って剛性を高める前後向きフレームにより、全体の剛性が高められるとともに、前後向きフレームと脱穀装置とを連結する左右向きフレームによりさらに剛性を高めることができる。そして、左右向きフレームの貯留ホッパー側の端部が前後向きフレームに載置支持されているので、作業台に過大な荷重が掛かっても、前後向きフレームによって受止め支持することができ、左右向きフレームと前後向きフレームとが離脱するおそれがなく、安定的に支持することができる。
【００２３】
本発明においては、前記前後向きフレームは、断面形状が屈曲部を有する形状であると好適である。
【００２４】
本構成によれば、前後向きフレームは屈曲部を有することで、材料の厚みを増すことなく剛性を高めることができるので、安価で軽量な構造でありながら、作業台に荷重が掛かっても下方側へ曲がり変形するおそれが少ないものにできる。。
【００２５】
本発明においては、前記貯留ホッパー及び前記ホッパー支持フレームのうち少なくともいずれか一方に、電装品が支持され、前記電装品に対する電気配線が、前記貯留ホッパーよりも前側箇所から前記前後向きフレームに沿わされて延びる状態で前記前後向きフレームに支持されていると好適である。
【００２６】
本構成によれば、剛性の高い前後向きフレームを利用して電気配線を安定的に支持することができる。
【００２７】
本発明においては、前記電装品として前記貯留ホッパーの下方を照らす作業灯が備えられ、前記作業灯が前記前後向きフレームの下方に位置する状態で前記ホッパー支持フレームに支持されていると好適である。
【００２８】
本構成によれば、作業灯が前後向きフレームの下方に位置するので、雨が降っていても、作業灯に直接に雨が降りかかることが回避することが可能であり、作業灯の耐久性を高めることができる。
【図面の簡単な説明】
【００２９】
【図１】コンバインの全体側面図である。
【図２】コンバインの全体平面図である。
【図３】穀粒貯留部の側面図である。
【図４】穀粒貯留部の背面図である。
【図５】ホッパー支持フレームの斜視図である。
【図６】ホッパー支持フレームとその周辺との関係を示す平面図である。
【図７】前後向きフレームの脱穀装置に対する連結構造を示す縦断背面図である。
【図８】仕切板の係止構造を示す斜視図である。
【図９】仕切板の係止構造を示す縦断背面図である。
【図１０】支持フレームの斜視図である。
【図１１】シート部材の支持フレームに対する装着前の展開図である。
【図１２】補助キャノピーの縦断背面図である。
【図１３】前部側保持機構を示す背面図である。
【図１４】前部側保持機構を示す平面図である。
【図１５】後部側保持機構を示す斜視図である。
【図１６】ガード部の連結構造を示す斜視図である。
【発明を実施するための形態】
【００３０】
以下、本発明に係る実施形態をコンバインの一例としての普通型コンバインに適用した場合について図面に基づいて説明する。
【００３１】
〔コンバインの基本構成〕
図１および図２に示されるように、普通型コンバインは、左右一対のクローラ走行装置１を備えた走行機体２の前部右側に運転部３が備えられ、刈り取られた作物を脱穀処理する脱穀装置４と、脱穀処理により得られた穀粒を貯留する穀粒貯留部５とが備えられている。穀粒貯留部５は運転部３の後側に位置する状態で備えられ、穀粒貯留部５が機体右側に位置し、脱穀装置４が機体左側に位置する状態で、穀粒貯留部５と脱穀装置４とが機体横幅方向に沿って並んで位置している。また、運転部３よりも下側にエンジン６が備えられ、エンジン６の動力が、コンバインの各部に伝達される。
【００３２】
この実施形態では、機体の前後方向を定義するときは、作業状態における機体進行方向に沿って定義し、機体の左右方向を定義するときは、機体進行方向視で見た状態で左右を定義する。すなわち、図１および図２に符号「Ｆ」で示す方向が機体前側、図１および図２に符号「Ｂ」で示す方向が機体後側である。図２に符号「Ｌ」で示す方向が機体左側、図２に符号「Ｒ」で示す方向が機体右側である。
【００３３】
脱穀装置４の前部に横軸芯周りに上下揺動可能に刈取穀稈搬送用のフィーダ７が連結され、このフィーダ７の前端に略機体横幅に相当する刈幅を有する刈取部８が連結されている。刈取部８は、植立穀稈を後方に向けて掻き込む回転リール９、植立穀稈の株元を切断して刈り取るバリカン型の刈取装置１０、刈取穀稈を機体横幅方向中間側へ横送り移送する横送りオーガ１１等を備えており、刈取装置１０により刈り取った穀稈を横送りオーガ１１によって横送りしてフィーダ７に供給する。
【００３４】
運転部３には、運転座席１２と、運転座席１２よりも前側に位置して操向操作レバー１３等の複数の操作具を備えるフロントパネル１４と、運転座席１２よりも左横側に位置して変速レバー１５等の種々の操作具を備えるサイドパネル１７等が備えられている。運転座席１２よりも右横側には、図示しないラジエータファンの作用によってエンジン６に対する冷却風を吸気するための防塵ダクト１８が備えられている。運転部３には、運転部３に着座する運転者に対する日差しを防ぐ運転部キャノピー１９が備えられている。
【００３５】
脱穀装置４の左右両側は側壁によって覆われ、脱穀装置４の上部は天板４Ｂによって覆われている。そして、図示はしないが、左右の側壁と天板４Ｂにより囲われた内部空間の上部側に、扱胴と受網（図示せず）とを有し、フィーダ７より搬送されてくる刈取穀稈の扱き処理を行う扱室が形成されている。また、扱室の下部に、受網から漏下する扱き処理物を、穀粒、枝付き籾等の二番物、および、排ワラ屑等に選別する選別処理部が備えられている。
【００３６】
脱穀装置４における穀粒貯留部５側の右側壁４Ａの横外側方にスクリューコンベアからなる揚穀装置２０が備えられている。選別処理部にて選別された穀粒は、一番物回収スクリューにより脱穀装置４の穀粒貯留部５側の横側外方に排出され、揚穀装置２０へ送り出される。そして穀粒は、揚穀装置２０により上方に搬送され、穀粒貯留部５内に貯留される。
【００３７】
図３に示すように、穀粒貯留部５は、脱穀処理された穀粒を貯留する貯留空間を有するとともにその貯留空間よりも下側に穀粒を排出可能な排出部として排出口２１を有する貯留ホッパー２２と、貯留ホッパー２２から排出される穀粒を回収する回収空間２３と、貯留ホッパー２２を支持するホッパー支持フレーム２４とが備えられている。ホッパー支持フレーム２４の構成については後で詳述する。
【００３８】
図６に示されるように、揚穀装置２０の上部側箇所が、平面視で略Ｌ字形の板体からなる前後一対の連結ステー２５により脱穀装置４の貯留ホッパー２２側の部分としての右側壁４Ａに連結固定されている。一対の連結ステー２５の夫々において、一端部が揚穀装置２０の外周部に溶接にて連結され、他端部が、脱穀装置４の右側壁４Ａにボルト連結されている。
【００３９】
選別処理部にて得られた二番物は、二番物回収スクリュー（図示せず）により脱穀装置４の穀粒貯留部５側の横側外方に排出される。そして、図１および図３に示されるように、脱穀装置４における穀粒貯留部５側の横側に備えられた二番物還元装置２６によって二番物が脱穀装置４の前側部分に還元される。排ワラ屑等は、脱穀装置４の機体後部側外方に排出される。
【００４０】
エンジン６から排出される燃焼後の排気は、エンジン６よりも左上側に位置するマフラー２７を通過したのち、排気管２８の管内を流動して機体後部の出口としての排気口２９から外方に排出される。排気管２８の前部は後上がりに傾斜して、エンジン６からの排気が供給される排気流入口よりも排気口２９の方が高い位置になる状態で、脱穀装置４と穀粒貯留部５との間を通って機体後部まで延ばされている。
【００４１】
脱穀装置４と貯留ホッパー２２との間の領域のうち、貯留ホッパー２２よりも下側の領域、かつ、排気口２９よりも下側の領域に、燃料タンク３０が備えられている。燃料タンク３０は、脱穀装置４よりも機体後側に突出する状態で機体フレーム２Ａに支持されている。燃料タンク３０は平面視で貯留ホッパー２２と部分的に重複する。燃料タンク３０は矩形箱状体に構成されている。
【００４２】
燃料タンク３０よりも前側にセパレータ３１が配置され、セパレータ３１は燃料タンク３０からエンジン６への給油経路に設けられ、燃料中に含まれる水分等の不純物がセパレータ３１によって分離除去される。図示はしないが、セパレータ３１に筒状のドレンタンクが設けられ、ドレンタンクは内部のドレン水を透視可能な透明部材で構成されている。ドレンタンクの外周に沿って目盛りが設けられ、作業者は、ドレンタンクに貯留されたドレン水のたまり度合いを目盛りと共に確認できる。
【００４３】
脱穀装置４と貯留ホッパー２２との間の領域には、脱穀装置４の側板の上端に対応する高い位置に、排気管２８の上側を覆う状態で作業台３２が備えられている。作業台３２は、例えば、脱穀装置４の内部の清掃作業や点検作業等を行うために、作業者が載置可能に設けられている。作業台３２の構成については後で詳述する。
【００４４】
〔穀粒貯留部〕
図３，４に示すように、貯留ホッパー２２は、上部側に、略直方体形状の貯留空間を形成する略無底箱状の矩形箱状部２２Ａが備えられ、下部側に、三つの下狭まり状の漏斗部３３を有する流下案内部２２Ｂが備えられている。矩形箱状部２２Ａの内部空間と流下案内部２２Ｂの内部空間の全体により穀粒を貯留する貯留空間が形成されている。三つの漏斗部３３の下端部には、穀粒を下方に排出可能な排出口２１が形成され、その排出口２１を開閉可能な手動操作式のシャッター機構３４（図４参照）が備えられている。
【００４５】
回収空間２３には、貯留ホッパー２２の排出口２１から排出される穀粒を収容するための穀粒収容袋を縦姿勢で保持する袋保持部３５が備えられている。袋保持部３５は、穀粒収容袋の上部に係止して縦姿勢を保持するために、複数の左右向きの支持杆３５ａが片持ち状に延びる状態で備えられている。貯留ホッパー２２よりも下側に、穀粒を収容するための穀粒収容袋を受止め支持するための載置台３６が備えられている。貯留ホッパー２２と載置台３６との間の作業空間としての回収空間２３において、穀粒収容袋が配置され、排出口２１から流下する穀粒が袋詰めにされる。
【００４６】
載置台６７のうち、脱穀装置４の位置する側の側端部に、仕切板３７が設けられ、仕切板３７は、貯留ホッパー２２よりも下側の回収空間２３と、脱穀装置４と貯留ホッパー２２との間の空間と、を区画する。仕切板３７の長手方向は機体前後方向に沿い、仕切板３７の短手方向は機体上下方向に沿う。仕切板３７は燃料タンク３０およびセパレータ３１よりも機体右側、即ち燃料タンク３０およびセパレータ３１に対して脱穀装置４の位置する側と反対側に設けられている。この構成によって、たとえ穀粒収容袋が脱穀装置４の位置する側に倒れる場合であっても、穀粒収容袋は仕切板３７によって受け止められて回収空間２３に留まる。
【００４７】
仕切板３７は、容易に取り外すことができるように構成され、セパレータ３１の点検や揚穀装置の点検等のメンテナンス作業を容易に行えるようにしている。図３，８，９に示すように、仕切板３７は、前後両側の下部に載置台３６の左側端縁に形成された縦向き縁部３６ａに対して上側から挟み込み係合する挟み込み係止部３８が備えられている。図３に示すように、前後の挟み込み係止部３８を縦向き縁部３７ａに係合させた状態で、前後両側の上部に形成された挿通孔３９を通して挿通するノブボルト４０により、ホッパー支持フレーム２４に設けられたブラケット４１に締結固定されている。ノブボルト４０の締結を解除すると、仕切板３７を容易に取り外すことができる。
【００４８】
図２，４に示すように、載置台３６よりも右側に、穀粒回収作業を行う補助作業者が乗ることができる作業デッキ４２が備えられている。この作業デッキ４２は、機体内方側（左側）端部の前後揺動軸芯Ｚ周りで揺動可能に機体フレーム２Ａに支持され、機体横外方に張り出した作業姿勢と、機体内方側に引退する格納姿勢とに揺動姿勢変更可能なように構成されている。
【００４９】
貯留ホッパー２２よりも上側に、作業領域の上方側を覆う日除け部材としての補助キャノピー４３が備えられている。補助キャノピー４３は、作業デッキ４２に乗ったまま作業領域内で作業する補助作業者に対する日差しを遮ることができる。
【００５０】
〔補助キャノピーについて〕
図１，３，４に示されるように、補助キャノピー４３は、貯留ホッパー２２の天板２２Ｃの右上部に取り付けられた一対の支点ブラケット４４を介して、天板２２Ｃよりも高い位置にある前後向き軸芯Ｘ周りで揺動可能に支持されている。補助キャノピー４３は、作業姿勢の作業デッキ４２の上方を覆う使用状態と、貯留ホッパー２２の天板２２Ｃの上方に引退する格納状態とにわたり姿勢変更可能に支持されている。
【００５１】
図１０に示すように、補助キャノピー４３は、全体を支持する枠状の支持フレーム４５と、支持フレーム４５に装着されるシート部材４６とを備えている。支持フレーム４５は、外周部を囲う矩形状の周枠部４７と、周枠部４７の右辺４７Ｃと左辺４７Ｄとに亘って架設される２本の横向き中継杆４９とを備えている。横向き中継杆４９は、中央側が上方に盛り上がる中膨らみ状に形成されている。
【００５２】
シート部材４６は、例えば、ターポリン等のテント用生地材等が用いられ、シート部材４６は張り合わせ用面ファスナー５０を用いて支持フレーム４５に取り付け固定されている。図１１に示すように、シート部材４６には、支持フレーム４５の周枠部４７の４辺よりも前後方向並びに左右方向に夫々、延長形成された外方延長部５１が形成されている。４辺の外方延長部５１に沿って面ファスナー５０が設けられ、且つ、生地材における支持フレーム４５よりも内周側に沿って対向用の面ファスナー５０が設けられている。そして、シート部材４６を支持フレーム４５に装着するときは、シート部材４６を支持フレーム４５に載置した状態で、外方延長部５１を折り曲げて面ファスナー５０同士を張り合わせて取り付けるように構成されている。シート部材４６の外方延長部５１のうち横向き中継杆４９に対応する箇所には、切欠き５２が形成されており、横向き中継杆４９を挟み込む状態で張り合わせても、できるだけ隙間が少なくなるように構成されている。
【００５３】
〔ホッパー支持フレームについて〕
ホッパー支持フレーム２４には、貯留ホッパー２２の前後両側端部に対応する位置において、貯留ホッパー２２の前部を支持する前側フレーム５３と、貯留ホッパー２２の後部を支持する後側フレーム５４と、前側フレーム５３と後側フレーム５４とを繋ぐ前後向きの前後向きフレーム５５とが備えられている。
【００５４】
図５に示すように、前側フレーム５３は、機体前側に位置して機体フレーム２Ａから立設された左右の前部縦フレーム５６Ａ，５６Ｂと、左右の前部縦フレーム５６Ａ，５６Ｂの上端部同士にわたって連結された左右向きの前部横フレーム５７とを有している。後側フレーム５４は、機体後側に位置して機体フレーム２Ａから立設された左右の後部縦フレーム５８Ａ，５８Ｂと、左右の後部縦フレーム５８Ａ，５８Ｂの上端部同士にわたって連結された左右向きの後部横フレーム５９とを有している。
【００５５】
左右の前部縦フレーム５６Ａ，５６Ｂは、貯留ホッパー２２よりも前下側で左右横並びに配置され、左右の後部縦フレーム５８Ａ，５８Ｂは、貯留ホッパー２２よりも後下側で左右横並びに配置されている。左側の前部縦フレーム５６Ａと左側の後部縦フレーム５８Ａは、前後方向視で重複するように配置され、右側の前部縦フレーム５６Ｂと右側の後部縦フレーム５８Ｂは、前後方向視で重複するように配置されている。
【００５６】
前部横フレーム５７の左側箇所は、左側の前部縦フレーム５６Ａよりも脱穀装置４側に向けて延びる延出部５７ｃを備えている。この延出部５７ｃの延出端部、即ち脱穀装置４の位置する側の端部に連結ブラケット６０が溶接固定されている。従って、前部横フレーム５７は、左右の前部縦フレーム５６Ａ，５６Ｂの夫々と脱穀装置４の右側壁４Ａとによって三点支持されている。前部横フレーム５７の右側箇所は、右側の前部縦フレーム５６Ｂとの連結箇所よりもすこしだけ右側外方へ延出している。
【００５７】
後部横フレーム５９の左側箇所は左側の後部縦フレーム５８Ａの上部に連結されている。後部横フレーム５９の右側箇所は、右側の後部縦フレーム５８Ｂとの連結箇所よりもすこしだけ右側外方へ延出している。
【００５８】
左側の後部縦フレーム５８Ａと後部横フレーム５９の連結箇所と、左側の前部縦フレーム５６Ａと前部横フレーム５７との連結箇所とに亘り、前後向きの前後向きフレーム５５が連結されている。このように左側の前部縦フレーム５６Ａの略真上と、左側の後部縦フレーム５８Ａの略真上と、に前後向きフレーム５５が配置されるため、前後向きフレーム５５の支持構造が安定的になる。
【００５９】
図７に示すように、前後向きフレーム５５は左右方向に幅広の板状フレームであって且つ断面形状が屈曲部５５ａを有する形状である。すなわち、前後向きフレーム５５のうち、左右方向（短手方向）において脱穀装置４の位置する側と反対側の箇所に、下方向きに折り曲げられた屈曲部５５ａが前後方向に亘って形成されている。つまり、前後向きフレーム５５は前後方向の断面視で略逆Ｕ字状に形成されている。これにより、前後向きフレーム５５の剛性が屈曲部５５ａによって高められる。
【００６０】
ホッパー支持フレーム２４に、脱穀装置４に連結され且つ左右方向に延びる左右向きフレーム６１が備えられている。左右向きフレーム６１は、前後向きフレーム５５と脱穀装置４とを連結するとともに、左右向きフレーム６１の貯留ホッパー２２側の端部が前後向きフレーム５５に載置支持されている。
【００６１】
すなわち、図５，７に示すように、左右向きフレーム６１は、左右に２分割された略帯板状のフレーム構成体６１Ａ，６１Ｂを有し、脱穀装置４の右側壁４Ａから前後向きフレーム５５の前後中間部の後部寄りの部分に向けて延設されている。２つのフレーム構成体６１Ａ，６１Ｂは中間部でボルト連結されている。左側のフレーム構成体６１Ａの左側端部は、脱穀装置４に対する連結部６２に溶接固定され、連結部６２が脱穀装置４の右側壁４Ａにボルト連結されている。右側のフレーム構成体６１Ｂの右側端部は、前後向きフレーム５５の前後中間部のうち、後部寄りの部分における上面に載置支持されている。左側のフレーム構成体６１Ａの途中部には、前後向きフレーム５５から離れるほど下方に位置するように傾斜する傾斜面が形成されている。右側のフレーム構成体６１Ｂの上面は水平な面に形成されている。
【００６２】
図５，６に示すように、前部横フレーム５７に前支持部６４が溶接固定され、後部横フレーム５９に後支持部６５が溶接固定されている。そして、前支持部６４および後支持部６５に、貯留ホッパー２２の支持部材６６の夫々がボルト連結されている。支持部材６６は、板材を折り曲げて形成され、貯留ホッパー２２の前後両側端部における傾斜面部分にボルト連結されている。このようにして貯留ホッパー２２がホッパー支持フレーム２４に支持されている。
【００６３】
図５に示すように、穀粒貯留部５には、作業デッキ４２に載置して穀粒回収作業を行う補助作業者を保護するためのガード部７０と、穀粒回収作業を行う補助作業者が握り操作可能な手摺７１とが備えられている。手摺７１は、丸パイプ材からなり、前後両側端部が前部横フレーム５７と後部横フレーム５９との夫々の機体右側端部にボルト連結されている。
【００６４】
〔ガード部について〕
図６に示すように、ガード部７０に、前側アーム部７０Ａと、後側アーム部７０Ｂと、直線状の背もたれ部７０Ｃと、が備えられている。前側アーム部７０Ａの基端部は、前部横フレーム５７の右側端部に設けられた支点ピン７４により前後軸芯Ｙ周りで揺動可能に支持され、前側アーム部７０Ａは基端部から右方向へ延びている。後側アーム部７０Ｂの基端部は、後部横フレーム５９の右側端部に設けられた支点ピン７５により揺動可能に支持され、後側アーム部７０Ｂは基端部から右方向へ延びている。背もたれ部７０Ｃの長手方向は前後方向に沿って延びている。
【００６５】
ガード部７０は複数の分割体を連結することで構成されている。すなわち、後側アーム部７０Ｂと背もたれ部７０Ｃとが一体形成されたＬ字部材７６と、前側アーム部７０Ａと、が分割体として構成されている。後側アーム部７０Ｂと背もたれ部７０Ｃとは、丸パイプ材を略Ｌ字状に折り曲げることによって、一体的なＬ字形状のＬ字部材７６に構成されている。背もたれ部７０Ｃには、筒状のクッション部材７７が装着されている。クッション部材７７は、例えばウレタン等の柔軟材で構成されている。前側アーム部７０Ａは角形パイプによって構成されている。
【００６６】
Ｌ字部材７６と前側アーム部７０Ａとが分割されている。ガード部７０が分割された状態で、背もたれ部７０Ｃに筒状のクッション部材７７が外嵌されることによって、クッション部材７７は背もたれ部７０Ｃに対して容易に装着可能となる。すなわち、図１６に示すように、背もたれ部７０Ｃの前部にピン孔７０Ｃａが形成され、前側アーム部７０Ａの遊端部に挿通孔７０Ａａが形成されている。丸パイプ材である背もたれ部７０Ｃが挿通可能な大きさとなるように、挿通孔７０Ａａは形成されている。背もたれ部７０Ｃの前部が挿通孔７１ａに差し込まれ、ピン孔７０Ｃａが前側アーム部７０Ａよりも前側に位置する状態で、ピン孔７３ａにスプリングピン７８が差し込み挿通されて抜け止めされる。これにより、背もたれ部７０Ｃは挿通孔７１ａに対して位置保持される。ピン孔７０Ｃａに差し込み挿入されたスプリングピン７８を取り外すことによって、前側アーム部７０Ａと背もたれ部７０Ｃとの連結が解除される。スプリングピン７８には、内部を通して針金７９が備えられ、作業中に外れて脱落しないようにしている。
【００６７】
図４に示されるように、ガード部７０は、前後軸芯Ｙ周りで、使用状態と格納状態とに亘って上下揺動可能に支持されている。ガード部７０の使用状態とは、背もたれ部７０Ｃが貯留ホッパー２２よりも機体横外側へ張り出して作業者の身体を受け止め可能な状態である（図４では実線で示す）。ガード部７０の格納状態とは、背もたれ部７０Ｃが機体横内側へ引退して貯留ホッパー２２の天板２２Ｃに接近する状態である（図４では仮想線で示す）。
【００６８】
前部横フレーム５７の右側端部に前側係止部８０が溶接固定され、後部横フレーム５９の右側端部に後側係止部８１が溶接固定されている。使用状態では、前側係止部８０と前側アーム部７０Ａとが接当するとともに、後側係止部８１と後側アーム部７０Ｂとが接当して、下方側への揺動を規制する。
【００６９】
ガード部７０が使用状態である場合、前側アーム部７０Ａおよび後側アーム部７０Ｂは機体横外方の箇所ほど下方に位置するように傾斜し、かつ、背もたれ部７０Ｃが作業デッキ４２の外側端部よりも機体横外側へ突出する。つまり、ガード部７０が使用状態である場合、背もたれ部７０Ｃは、前側アーム部７０Ａおよび後側アーム部７０Ｂの夫々の前後軸芯Ｙよりも下側に位置するとともに、作業デッキ４２の外側端部よりも機体横外側、即ち、貯留ホッパー２２に向き合う作業者の背中側に位置する。
【００７０】
〔保持機構について〕
ガード部７０が格納状態である場合、前側アーム部７０Ａおよび後側アーム部７０Ｂの夫々は、機体前後方向視で前後軸芯Ｙよりも機体内側へ傾斜し、背もたれ部７０Ｃは、前側アーム部７０Ａおよび後側アーム部７０Ｂの夫々の前後軸芯Ｙよりも機体内側に位置する。そして、ガード部７０を格納状態で位置保持可能な前部側保持機構８２と後部側保持機構８３とが備えられている。
【００７１】
前部側保持機構８２について説明する。
図１３，１４に示すように、貯留ホッパー２２の天板２２Ｃの上部に取り付けられた一対の支点ブラケット４４のうち、機体前側の支点ブラケット４４に、前部側保持機構８２がボルト固定によって取り付けられている。前部側保持機構８２は、例えば平板のプレス成型によって、前後方向視で略Ｃ字状となるように形成されている。機体左側端部に位置する支持基端部８２Ａが支点ブラケット４４にボルト固定されている。支持基端部８２Ａから、機体上側の上収容部８２Ｂと、機体下側の下収容部８２Ｃと、が夫々延出されている。支持基端部８２Ａから前方に反発部８２Ｄが延出されている。
【００７２】
前部側保持機構８２の機体右側端部、即ち、上収容部８２Ｂの延出先端部と、下収容部８２Ｃの延出先端部と、の夫々に、幅狭の離間距離Ｄ１を有する上下一対の案内部が形成されている。離間距離Ｄ１は、背もたれ部７０Ｃの断面直径Ｄ２よりも小さい。上収容部８２Ｂの上端部と下収容部８２Ｃの下端部との離間距離が、背もたれ部７０Ｃの断面直径Ｄ２と略同じ、または、断面直径Ｄ２よりも大きくなるように、上収容部８２Ｂおよび下収容部８２Ｃは形成されている。
【００７３】
反発部８２Ｄは、前後方向において支持基端部８２Ａの位置する側と反対側の箇所に、機体右方に突起している。背もたれ部７０Ｃの一部が収容空間の内側に入り込むと、反発部８２Ｄと背もたれ部７０Ｃとが接当して、背もたれ部７０Ｃは、反発部８２Ｄの付勢力によって押し付けられる。これにより、背もたれ部７０Ｃの収納箇所は、収容空間Ｓの内側でガタつくことなく、収容された状態に維持される。
【００７４】
後部側保持機構８３について説明する。
後部側保持機構８３は、後側アーム部７０Ｂの基端部付近に備えられている。図１５に示すように、後部側保持機構８３は、ガード部７０が格納状態にあるときに後側アーム部７０Ｂに接当して作用状態に戻ることを規制するロック作用位置と、後側アーム部７０Ｂの移動領域から引退して作用状態に戻ることを許容する解除位置とにスライド移動可能なロック部材８４と、ロック部材８４を前後方向にスライド可能に支持する側面視略Ｕ字形の支持部材８５と、ロック部材８４をロック作用位置に移動付勢するコイルバネ８６とが備えられている。
【００７５】
ロック部材８４は、棒材を略Ｌ字形に折り曲げた形状であり、支持部材８５の前後の縦面部８５ａに形成された挿通孔を挿通する状態で設けられている。ロック部材８４の支持部材８５の内部に位置する箇所にコイルバネ８６が外装され、コイルバネ８６によってロック部材８４が後側アーム部７０Ｂの移動領域に突出するように移動付勢されている。
【００７６】
後側アーム部７０Ｂが使用状態から格納状態への切り換わるときに、後側アーム部７０Ｂのうちロック作用状態に移動付勢されているロック部材８４に摺接して、後側アーム部７０Ｂの揺動に伴ってロック部材８４を解除位置に移動するように案内する案内傾斜部材８７が備えられている。
【００７７】
このような構成によって、手動操作によって後側アーム部７０Ｂを使用状態から格納状態に向けて揺動させると、案内傾斜部材８７の案内作用によってロック部材８４が解除位置に向けて押し移動されて退避するので、後側アーム部７０Ｂを格納状態に移動させることができる。後側アーム部７０Ｂが格納状態にまで揺動すると、ロック部材８４はコイルバネ８６の付勢力によって自動的にロック作用位置に復帰するので、ガード部７０が作用状態に戻ることを規制することができる。
【００７８】
〔電装品について〕
図３，４，５に示すように、電装品Ｄとして、回収空間２３を照らす作業灯８８が、前後向きフレーム５５の下方側に位置する状態でホッパー支持フレーム２４に支持されている。左側の後部縦フレーム５８Ａの前側面における前後向きフレーム５５の下方位置に、断面形状がＬ字状のアングル部材によって構成されるブラケット８９が一体連結されている。このブラケット８９に作業灯８８がボルト連結されている。作業灯８８は、幅広の前後向きフレーム５５の下方側に位置している。このように配置することで、作業灯８８に雨水が降りかかるのを防止することができる。
【００７９】
電装品Ｄとしては、作業灯８８の他、図１，３に示すように、後進状態を報知するためのブザー９０も設けられている。ブザー９０は、後側の支持部材６６に取り付けられている。
【００８０】
そして、作業灯８８やブザー９０等の貯留ホッパー２２の後部に備えられた電装品Ｄは、電気配線Ｈを介して、運転部３におけるフロントパネル１４あるいはサイドパネル１７の内方側に備えられた図示しない制御装置に接続されている。電装品Ｄは、例えば、フロントパネル１４に備えられた操作スイッチ９１（図２参照）等の操作指令に基づいて、制御装置によって運転動作が切り換えられるように構成されている。図５に示すように、電気配線Ｈは、前後向きフレーム５５に沿って前後に延びる状態で備えられている。このように構成することで、幅広で剛性の高い前後向きフレーム５５を利用して電気配線Ｈを安定的に支持することができる。尚、貯留ホッパー２２に備えられる電装品Ｄとしては、図示はしていないが、貯留ホッパー２２の貯留空間における穀粒の貯留量を検知する貯留量センサがあるが、この貯留量センサに対する電気配線も同様に、前後向きフレーム５５に沿って前後に延びる状態で備えられている。
【００８１】
〔作業台〕
次に、作業台３２について説明する。
図２，３，５に示すように、作業台３２として、揚穀装置２０よりも前側に位置する前部作業台３２Ａと、揚穀装置２０よりも後側に位置する後部作業台３２Ｂとが備えられている。前部作業台３２Ａは、後部側が前側ステーとしての前側の連結ステー２５に支持され、前部側がホッパー支持フレーム２４に支持されている。又、後部作業台３２Ｂは、前部側が後側ステーとしての後側の連結ステー２５に支持され、後部側がホッパー支持フレーム２４に支持されている。
【００８２】
説明を加えると、図５に示すように、揚穀装置２０よりも前側に位置する前部作業台３２Ａは、左右方向に幅広の板体にて構成され、前部作業台３２Ａの前部右側箇所が、ホッパー支持フレーム２４における前部横フレーム５７から立設された連結部材９３によって下面側から支持されている。連結部材９３は、帯板の上下両側が略Ｌ字に折り曲げ形成され、下端部が前部横フレーム５７の上面に溶接固定され、上端部が前部作業台３２Ａにボルト連結されている。前部作業台３２Ａの後部右側箇所が、前側の連結ステー２５に溶接固定された略Ｌ字形の支持ブラケット９４にて下面側から接当する状態で受止め支持されている。前部作業台３２Ａの左側箇所は、脱穀装置４の天板に載置支持された状態で前後方向に分散した複数箇所にてボルト連結されている。
【００８３】
後部作業台３２Ｂは、左右方向に幅広の板体にて構成され、図７にも示すように、前部右側箇所には、側面視略Ｌ字形の補強体９５が一体的に備えられ、後側の連結ステー２５に溶接固定された略Ｌ字形の支持ブラケット９６にて補強体９５を介して下面側から受止め支持されている。
【００８４】
図５，７に示すように、後部作業台３２Ｂの後部右側箇所が、脱穀装置４の右側壁４Ａから立設された第１支持ブラケット９７、及び、ホッパー支持フレーム２４における左右向きフレーム６１から立設された第２支持ブラケット９８により支持されている。後部作業台３２Ｂの左側箇所は、脱穀装置４の天板に載置支持された状態で前後方向に分散した複数箇所にてボルト連結されている。尚、支持ブラケット９６の横側に位置して後側の連結ステー２５にボルト連結されている縦板９９は、排気管を支持するための支持板である。
【００８５】
第１支持ブラケット９７は、帯板を略Ｚ字状に屈曲して形成され、下端部が脱穀装置の右側壁にボルト連結され、上に向かうほど右側に位置する傾斜姿勢で上方に延びている。そして、上端部が後部作業台３２Ｂの右側の縦面部９２にボルト連結されている。第２支持ブラケット９８は、帯板を略Ｌ字状に屈曲して形成され、下端部が左右向きフレーム６１における左側のフレーム構成体６１Ａの傾斜面よりも右側の平坦面部分に溶接固定され、上方に向けて延びている。第２支持ブラケット９８の上端部が後部作業台３２Ｂの右側の縦面部９２にボルト連結されている。
【００８６】
このようにして、前部作業台３２Ａと後部作業台３２Ｂとが夫々、揚穀装置２０の前後両側の連結ステー２５、ホッパー支持フレーム２４、及び、脱穀装置４の夫々によって、安定的に支持されている。
【００８７】
〔別実施形態〕
（１）上記実施形態では、作業台３２が、前部作業台３２Ａと後部作業台３２Ｂとに分割され、前部作業台３２Ａの後部側が前側の連結ステー２５に支持され、前部作業台３２Ａの前部側がホッパー支持フレーム２４に支持され、後部作業台の前部側が後側ステーに支持され、後部作業台の後部側が前記ホッパー支持フレームに支持される構成としたが、この構成に代えて、前部作業台３２Ａの後部側及び後部作業台３２Ｂの前部側が、ステー２５ではなく、別途備えて専用の支持部材にて支持するようにしてもよい。又、作業台３２が前後方向に一連に連なる形状にしてもよく、ホッパー支持フレーム２４にのみ支持させる構成としてもよい。
【００８８】
（２）上記実施形態では、作業台３２が前後向きフレーム５５及び左右向きフレーム６１に支持される構成としたが、この構成に代えて、作業台３２が前側フレーム５３や後側フレーム５４に支持される構成としてもよい。
【００８９】
（３）上記実施形態では、前後向きフレーム５５は断面形状が屈曲部５５ａを有する形状としたが、この構成に代えて、前後向きフレーム５５が、平板、角筒部材、円筒部材等、種々の形状に構成されるものでもよい。
【産業上の利用可能性】
【００９０】
本発明は、刈取穀稈を脱穀処理する脱穀装置と脱穀処理された穀粒を貯留する貯留ホッパーとが左右方向に並ぶ状態で備えられているコンバインに適用できる。
【符号の説明】
【００９１】
４            脱穀装置
２０          揚穀装置
２２          貯留ホッパー
２４          ホッパー支持フレーム
２５          ステー
３２          作業台
３２Ａ        前部作業台
３２Ｂ        後部作業台
５３          前側フレーム
５４          後側フレーム
５５          前後向きフレーム
５５ａ        屈曲部
６１          左右向きフレーム
８８          作業灯
Ｄ            電装品
Ｈ            電気配線
【図１】
2020103057.tif 000003
【図２】
2020103057.tif 000004
【図３】
2020103057.tif 000005
【図４】
2020103057.tif 000006
【図５】
2020103057.tif 000007
【図６】
2020103057.tif 000008
【図７】
2020103057.tif 000009
【図８】
2020103057.tif 000010
【図９】
2020103057.tif 000011
【図１０】
2020103057.tif 000012
【図１１】
2020103057.tif 000013
【図１２】
2020103057.tif 000014
【図１３】
2020103057.tif 000015
【図１４】
2020103057.tif 000016
【図１５】
2020103057.tif 000017
【図１６】
2020103057.tif 000018
【手続補正書】
【提出日】令和1年10月2日(2019.10.2)
【手続補正１】
【補正対象書類名】特許請求の範囲
【補正対象項目名】全文
【補正方法】変更
【補正の内容】
【特許請求の範囲】
【請求項１】
機体左右方向一方側に偏倚する状態で設けられ、刈取穀稈を脱穀処理する脱穀装置と、
機体左右方向他方側に偏倚する状態及び前記脱穀装置と横並びの状態で設けられ、且つ、脱穀処理された穀粒を貯留する貯留空間及び貯留している穀粒を排出可能な排出部を有する貯留ホッパーと、
前記貯留ホッパーを支持するホッパー支持フレームと、
前記脱穀装置と前記貯留ホッパーとの間に位置して前後方向に延びる作業台と、が備えられ、
前記作業台が、前記ホッパー支持フレームに支持され、
前記ホッパー支持フレームに、前記脱穀装置に連結され且つ左右方向に延びる左右向きフレームと、前記貯留ホッパーの前部を支持する前側フレームと、前記貯留ホッパーの後部を支持する後側フレームと、前記前側フレームと前記後側フレームとを繋ぐ前後向きの前後向きフレームとが備えられ、
前記左右向きフレームは、前記前後向きフレームと前記脱穀装置とを連結し、
前記作業台が前記左右向きフレームに支持されているコンバイン。
【請求項２】
前記左右向きフレームの前記貯留ホッパー側の端部が前記前後向きフレームに載置支持されている請求項１に記載のコンバイン。
【請求項３】
前記脱穀装置と前記貯留ホッパーとの間に、前記脱穀装置から搬出される穀粒を上方に搬送して前記貯留ホッパーの上部に供給する揚穀装置が備えられ、
前記揚穀装置を前記脱穀装置のうちの前記貯留ホッパー側の部分に支持するステーが備えられ、
前記作業台は、一端側が前記ステーに支持され、他端側が前記ホッパー支持フレームに支持されている請求項１又は２に記載のコンバイン。
【請求項４】
前記作業台として、前記揚穀装置よりも前側に位置する前部作業台と、前記揚穀装置よりも後側に位置する後部作業台とが備えられ、
前記ステーとして、前記揚穀装置の前側に位置する前側ステーと、前記揚穀装置の後側に位置する後側ステーとが備えられ、
前記前部作業台は、後部側が前記前側ステーに支持され、前部側が前記ホッパー支持フレームに支持され、
前記後部作業台は、前部側が前記後側ステーに支持され、後部側が前記ホッパー支持フレームに支持されている請求項３に記載のコンバイン。
【請求項５】
前記作業台は、前記前後向きフレームに支持されている請求項１〜４のいずれか１項に記載のコンバイン。
【請求項６】
前記前後向きフレームは、断面形状が屈曲部を有する形状である請求項１〜５のいずれか１項に記載のコンバイン。
【請求項７】
前記貯留ホッパーあるいは前記ホッパー支持フレームに電装品が支持され、
前記電装品に対する電気配線が、前記貯留ホッパーよりも前側箇所から前記前後向きフレームに沿わされて延びる状態で前記前後向きフレームに支持されている請求項６に記載のコンバイン。
【請求項８】
前記電装品として前記貯留ホッパーの下方を照らす作業灯が備えられ、
前記作業灯が前記前後向きフレームの下方に位置する状態で前記ホッパー支持フレームに支持されている請求項７に記載のコンバイン。
【手続補正２】
【補正対象書類名】明細書
【補正対象項目名】全文
【補正方法】変更
【補正の内容】
【発明の詳細な説明】
【技術分野】
【０００１】
本発明は、刈取穀稈を脱穀処理する脱穀装置と脱穀処理された穀粒を貯留する貯留ホッパーとが左右方向に並ぶ状態で備えられているコンバインに関する。
【背景技術】
【０００２】
上記コンバインにおいて、従来では、貯留ホッパーの機体後部側に燃料タンクが備えられ、その燃料タンクの上面を作業台として利用するようにして、脱穀装置や貯留ホッパーのメンテナンス作業を行えるようにしたものがあった（例えば、特許文献１参照）。
【先行技術文献】
【特許文献】
【０００３】
【特許文献１】特開２０１４−１８３８１５号公報
【発明の概要】
【発明が解決しようとする課題】
【０００４】
上記従来構成では、燃料タンクを簡易的な作業台として利用するものに過ぎないので、メンテナンス作業、特に、背高で大型の脱穀装置における扱室の清掃や点検作業等は行い難いものとなっていた。
【０００５】
ところで、脱穀処理にて得られた穀粒を貯留する穀粒貯留装置として、穀粒タンクを備える構成であれば、穀粒タンク及び穀粒排出用のアンローダ等を支持するために支持強度の大きい複数の支柱が前後方向に間隔をあけて存在することから、これらの支柱を利用して、脱穀装置と貯留ホッパーとの間の高い位置に作業台を設けることが考えられた。しかし、貯留ホッパーを備える構成であれば、上記したような穀粒タンクを支持する複数の支柱が存在しないことから、その構成はそのまま適用することができない。
【０００６】
そこで、貯留ホッパーを備える構成のコンバインにおいて、支持構造を複雑にすることなく、脱穀装置等のメンテナンス作業を容易に行えるようにすることが望まれていた。
【課題を解決するための手段】
【０００７】
本発明に係るコンバインの特徴構成は、機体左右方向一方側に偏倚する状態で設けられ、刈取穀稈を脱穀処理する脱穀装置と、機体左右方向他方側に偏倚する状態、且つ、前記脱穀装置と横並びの状態で設けられ、脱穀処理された穀粒を貯留する貯留空間及び貯留している穀粒を排出可能な排出部を有する貯留ホッパーと、前記貯留ホッパーを支持するホッパー支持フレームと、前記脱穀装置と前記貯留ホッパーとの間に設けられ、前後方向に沿って延びる作業台と、が備えられ、前記作業台が、前記ホッパー支持フレームに支持され、前記ホッパー支持フレームに、前記脱穀装置に連結され且つ左右方向に延びる左右向きフレームと、前記貯留ホッパーの前部を支持する前側フレームと、前記貯留ホッパーの後部を支持する後側フレームと、前記前側フレームと前記後側フレームとを繋ぐ前後向きの前後向きフレームとが備えられ、前記左右向きフレームは、前記前後向きフレームと前記脱穀装置とを連結し、前記作業台が前記左右向きフレームに支持されている点にある。
【０００８】
本発明によれば、横並び状態の脱穀装置と貯留ホッパーとの間に前後方向に延びる作業台が備えられる。例えば、脱穀装置の内部の清掃や点検等のメンテナンス作業を行う場合には、この作業台に乗って作業することにより、身体をできるだけ作業対象となる位置に近づけた状態で、作業を容易に行うことができる。
また、本構成によれば、ホッパー支持フレームは、その前部を支持するために上下に剛性の高い前側フレームと、後部を支持するために上下に剛性の高い後側フレームとが、前後向きフレームにより連結されるので、ホッパー支持フレーム全体の剛性が前後に亘って高められる。
また、本構成によれば、脱穀装置は大型で且つ剛性の高い装置であり、このような脱穀装置に連結された左右向きフレームがホッパー支持フレームに備えられるので、ホッパー支持フレーム全体の剛性をさらに高められる。そして、このような左右向きフレームを有効に利用して作業台を強固に支持することができる。
【０００９】
作業台は、貯留ホッパーを支持するために備えられているホッパー支持フレームを用いて支持される。その結果、特別な支持用の部材を機体フレームから立設する等の構造の複雑化を招くことなく、簡易な構成で作業台を支持することができる。
【００１０】
従って、貯留ホッパーを備える構成のコンバインにおいて、支持構造を複雑にすることなく、脱穀装置等のメンテナンス作業を容易に行えるようにすることが可能となった。
【００１１】
本発明においては、前記脱穀装置と前記貯留ホッパーとの間に、前記脱穀装置から搬出される穀粒を上方に搬送して前記貯留ホッパーの上部に供給する揚穀装置が備えられ、前記揚穀装置を前記脱穀装置のうちの前記貯留ホッパー側の部分に支持するステーが備えられ、前記作業台のうちの前後方向一方側部分が前記ステーに支持され、前記作業台のうちの前後方向他端部分が前記ホッパー支持フレームに支持されていると好適である。
【００１２】
本構成によれば、揚穀装置が脱穀装置と貯留ホッパーとの間に備えられるので、脱穀装置と貯留ホッパーとの間において前後に延びる作業台は、揚穀装置の近傍に位置することになる。そこで、揚穀装置を脱穀装置に支持するためのステーを有効に利用することで、支持構造を複雑にすることなく、作業台の揚穀装置に近い側の一端部を支持することができる。
【００１３】
本発明においては、前記作業台として、前記揚穀装置よりも前側に位置する前部作業台と、前記揚穀装置よりも後側に位置する後部作業台とが備えられ、前記ステーとして、前記揚穀装置よりも前側に位置する前側ステーと、前記揚穀装置よりも後側に位置する後側ステーとが備えられ、前記前部作業台の後端部が前記前側ステーに支持され、前記前部作業台の前端部が前記ホッパー支持フレームに支持され、前記後部作業台の前端部が前記後側ステーに支持され、前記後部作業台の後端部が前記ホッパー支持フレームに支持されていると好適である。
【００１４】
本構成によれば、脱穀装置において穀粒が排出される箇所は、前後中間位置に設けられるので、揚穀装置は、脱穀装置と貯留ホッパーとの前後向きの空き領域のうちの前後中間位置に位置する。そこで、作業台として、揚穀装置よりも前側に位置する前部作業台と揚穀装置よりも後側に位置する後部作業台とに分離させて配置することで、空き領域を有効に利用して作業台を配備することができる。そして、揚穀装置を脱穀装置に対して強固に支持するために備えられる前側ステーと後側ステーとを有効に利用して、前部作業台と後部作業台とを合理的に支持することができる。
【００１５】
【００１６】
【００１７】
本発明においては、前記作業台は、前記前後向きフレームに支持されていると好適である。
【００１８】
本構成によれば、ホッパー支持フレームの剛性を高めるために備えられた前後向きフレームを用いて、作業台を強固に支持することができる。
【００１９】
【００２０】
【００２１】
本発明においては、前記左右向きフレームの前記貯留ホッパー側の端部が前記前後向きフレームに載置支持されていると好適である。
【００２２】
本構成によれば、ホッパー支持フレームは、上下に剛性の高い前側フレーム及び後側フレーム、前後に亘って剛性を高める前後向きフレームにより、全体の剛性が高められるとともに、前後向きフレームと脱穀装置とを連結する左右向きフレームによりさらに剛性を高めることができる。そして、左右向きフレームの貯留ホッパー側の端部が前後向きフレームに載置支持されているので、作業台に過大な荷重が掛かっても、前後向きフレームによって受止め支持することができ、左右向きフレームと前後向きフレームとが離脱するおそれがなく、安定的に支持することができる。
【００２３】
本発明においては、前記前後向きフレームは、断面形状が屈曲部を有する形状であると好適である。
【００２４】
本構成によれば、前後向きフレームは屈曲部を有することで、材料の厚みを増すことなく剛性を高めることができるので、安価で軽量な構造でありながら、作業台に荷重が掛かっても下方側へ曲がり変形するおそれが少ないものにできる。
【００２５】
本発明においては、前記貯留ホッパー及び前記ホッパー支持フレームのうち少なくともいずれか一方に、電装品が支持され、前記電装品に対する電気配線が、前記貯留ホッパーよりも前側箇所から前記前後向きフレームに沿わされて延びる状態で前記前後向きフレームに支持されていると好適である。
【００２６】
本構成によれば、剛性の高い前後向きフレームを利用して電気配線を安定的に支持することができる。
【００２７】
本発明においては、前記電装品として前記貯留ホッパーの下方を照らす作業灯が備えられ、前記作業灯が前記前後向きフレームの下方に位置する状態で前記ホッパー支持フレームに支持されていると好適である。
【００２８】
本構成によれば、作業灯が前後向きフレームの下方に位置するので、雨が降っていても、作業灯に直接に雨が降りかかることが回避することが可能であり、作業灯の耐久性を高めることができる。
【図面の簡単な説明】
【００２９】
【図１】コンバインの全体側面図である。
【図２】コンバインの全体平面図である。
【図３】穀粒貯留部の側面図である。
【図４】穀粒貯留部の背面図である。
【図５】ホッパー支持フレームの斜視図である。
【図６】ホッパー支持フレームとその周辺との関係を示す平面図である。
【図７】前後向きフレームの脱穀装置に対する連結構造を示す縦断背面図である。
【図８】仕切板の係止構造を示す斜視図である。
【図９】仕切板の係止構造を示す縦断背面図である。
【図１０】支持フレームの斜視図である。
【図１１】シート部材の支持フレームに対する装着前の展開図である。
【図１２】補助キャノピーの縦断背面図である。
【図１３】前部側保持機構を示す背面図である。
【図１４】前部側保持機構を示す平面図である。
【図１５】後部側保持機構を示す斜視図である。
【図１６】ガード部の連結構造を示す斜視図である。
【発明を実施するための形態】
【００３０】
以下、本発明に係る実施形態をコンバインの一例としての普通型コンバインに適用した場合について図面に基づいて説明する。
【００３１】
〔コンバインの基本構成〕
図１および図２に示されるように、普通型コンバインは、左右一対のクローラ走行装置１を備えた走行機体２の前部右側に運転部３が備えられ、刈り取られた作物を脱穀処理する脱穀装置４と、脱穀処理により得られた穀粒を貯留する穀粒貯留部５とが備えられている。穀粒貯留部５は運転部３の後側に位置する状態で備えられ、穀粒貯留部５が機体右側に位置し、脱穀装置４が機体左側に位置する状態で、穀粒貯留部５と脱穀装置４とが機体横幅方向に沿って並んで位置している。また、運転部３よりも下側にエンジン６が備えられ、エンジン６の動力が、コンバインの各部に伝達される。
【００３２】
この実施形態では、機体の前後方向を定義するときは、作業状態における機体進行方向に沿って定義し、機体の左右方向を定義するときは、機体進行方向視で見た状態で左右を定義する。すなわち、図１および図２に符号「Ｆ」で示す方向が機体前側、図１および図２に符号「Ｂ」で示す方向が機体後側である。図２に符号「Ｌ」で示す方向が機体左側、図２に符号「Ｒ」で示す方向が機体右側である。
【００３３】
脱穀装置４の前部に横軸芯周りに上下揺動可能に刈取穀稈搬送用のフィーダ７が連結され、このフィーダ７の前端に略機体横幅に相当する刈幅を有する刈取部８が連結されている。刈取部８は、植立穀稈を後方に向けて掻き込む回転リール９、植立穀稈の株元を切断して刈り取るバリカン型の刈取装置１０、刈取穀稈を機体横幅方向中間側へ横送り移送する横送りオーガ１１等を備えており、刈取装置１０により刈り取った穀稈を横送りオーガ１１によって横送りしてフィーダ７に供給する。
【００３４】
運転部３には、運転座席１２と、運転座席１２よりも前側に位置して操向操作レバー１３等の複数の操作具を備えるフロントパネル１４と、運転座席１２よりも左横側に位置して変速レバー１５等の種々の操作具を備えるサイドパネル１７等が備えられている。運転座席１２よりも右横側には、図示しないラジエータファンの作用によってエンジン６に対する冷却風を吸気するための防塵ダクト１８が備えられている。運転部３には、運転部３に着座する運転者に対する日差しを防ぐ運転部キャノピー１９が備えられている。
【００３５】
脱穀装置４の左右両側は側壁によって覆われ、脱穀装置４の上部は天板４Ｂによって覆われている。そして、図示はしないが、左右の側壁と天板４Ｂにより囲われた内部空間の上部側に、扱胴と受網（図示せず）とを有し、フィーダ７より搬送されてくる刈取穀稈の扱き処理を行う扱室が形成されている。また、扱室の下部に、受網から漏下する扱き処理物を、穀粒、枝付き籾等の二番物、および、排ワラ屑等に選別する選別処理部が備えられている。
【００３６】
脱穀装置４における穀粒貯留部５側の右側壁４Ａの横外側方にスクリューコンベアからなる揚穀装置２０が備えられている。選別処理部にて選別された穀粒は、一番物回収スクリューにより脱穀装置４の穀粒貯留部５側の横側外方に排出され、揚穀装置２０へ送り出される。そして穀粒は、揚穀装置２０により上方に搬送され、穀粒貯留部５内に貯留される。
【００３７】
図３に示すように、穀粒貯留部５は、脱穀処理された穀粒を貯留する貯留空間を有するとともにその貯留空間よりも下側に穀粒を排出可能な排出部として排出口２１を有する貯留ホッパー２２と、貯留ホッパー２２から排出される穀粒を回収する回収空間２３と、貯留ホッパー２２を支持するホッパー支持フレーム２４とが備えられている。ホッパー支持フレーム２４の構成については後で詳述する。
【００３８】
図６に示されるように、揚穀装置２０の上部側箇所が、平面視で略Ｌ字形の板体からなる前後一対の連結ステー２５により脱穀装置４の貯留ホッパー２２側の部分としての右側壁４Ａに連結固定されている。一対の連結ステー２５の夫々において、一端部が揚穀装置２０の外周部に溶接にて連結され、他端部が、脱穀装置４の右側壁４Ａにボルト連結されている。
【００３９】
選別処理部にて得られた二番物は、二番物回収スクリュー（図示せず）により脱穀装置４の穀粒貯留部５側の横側外方に排出される。そして、図１および図３に示されるように、脱穀装置４における穀粒貯留部５側の横側に備えられた二番物還元装置２６によって二番物が脱穀装置４の前側部分に還元される。排ワラ屑等は、脱穀装置４の機体後部側外方に排出される。
【００４０】
エンジン６から排出される燃焼後の排気は、エンジン６よりも左上側に位置するマフラー２７を通過したのち、排気管２８の管内を流動して機体後部の出口としての排気口２９から外方に排出される。排気管２８の前部は後上がりに傾斜して、エンジン６からの排気が供給される排気流入口よりも排気口２９の方が高い位置になる状態で、脱穀装置４と穀粒貯留部５との間を通って機体後部まで延ばされている。
【００４１】
脱穀装置４と貯留ホッパー２２との間の領域のうち、貯留ホッパー２２よりも下側の領域、かつ、排気口２９よりも下側の領域に、燃料タンク３０が備えられている。燃料タンク３０は、脱穀装置４よりも機体後側に突出する状態で機体フレーム２Ａに支持されている。燃料タンク３０は平面視で貯留ホッパー２２と部分的に重複する。燃料タンク３０は矩形箱状体に構成されている。
【００４２】
燃料タンク３０よりも前側にセパレータ３１が配置され、セパレータ３１は燃料タンク３０からエンジン６への給油経路に設けられ、燃料中に含まれる水分等の不純物がセパレータ３１によって分離除去される。図示はしないが、セパレータ３１に筒状のドレンタンクが設けられ、ドレンタンクは内部のドレン水を透視可能な透明部材で構成されている。
ドレンタンクの外周に沿って目盛りが設けられ、作業者は、ドレンタンクに貯留されたドレン水のたまり度合いを目盛りと共に確認できる。
【００４３】
脱穀装置４と貯留ホッパー２２との間の領域には、脱穀装置４の側板の上端に対応する高い位置に、排気管２８の上側を覆う状態で作業台３２が備えられている。作業台３２は、例えば、脱穀装置４の内部の清掃作業や点検作業等を行うために、作業者が載置可能に設けられている。作業台３２の構成については後で詳述する。
【００４４】
〔穀粒貯留部〕
図３，４に示すように、貯留ホッパー２２は、上部側に、略直方体形状の貯留空間を形成する略無底箱状の矩形箱状部２２Ａが備えられ、下部側に、三つの下狭まり状の漏斗部３３を有する流下案内部２２Ｂが備えられている。矩形箱状部２２Ａの内部空間と流下案内部２２Ｂの内部空間の全体により穀粒を貯留する貯留空間が形成されている。三つの漏斗部３３の下端部には、穀粒を下方に排出可能な排出口２１が形成され、その排出口２１を開閉可能な手動操作式のシャッター機構３４（図４参照）が備えられている。
【００４５】
回収空間２３には、貯留ホッパー２２の排出口２１から排出される穀粒を収容するための穀粒収容袋を縦姿勢で保持する袋保持部３５が備えられている。袋保持部３５は、穀粒収容袋の上部に係止して縦姿勢を保持するために、複数の左右向きの支持杆３５ａが片持ち状に延びる状態で備えられている。貯留ホッパー２２よりも下側に、穀粒を収容するための穀粒収容袋を受止め支持するための載置台３６が備えられている。貯留ホッパー２２と載置台３６との間の作業空間としての回収空間２３において、穀粒収容袋が配置され、排出口２１から流下する穀粒が袋詰めにされる。
【００４６】
載置台６７のうち、脱穀装置４の位置する側の側端部に、仕切板３７が設けられ、仕切板３７は、貯留ホッパー２２よりも下側の回収空間２３と、脱穀装置４と貯留ホッパー２２との間の空間と、を区画する。仕切板３７の長手方向は機体前後方向に沿い、仕切板３７の短手方向は機体上下方向に沿う。仕切板３７は燃料タンク３０およびセパレータ３１よりも機体右側、即ち燃料タンク３０およびセパレータ３１に対して脱穀装置４の位置する側と反対側に設けられている。この構成によって、たとえ穀粒収容袋が脱穀装置４の位置する側に倒れる場合であっても、穀粒収容袋は仕切板３７によって受け止められて回収空間２３に留まる。
【００４７】
仕切板３７は、容易に取り外すことができるように構成され、セパレータ３１の点検や揚穀装置の点検等のメンテナンス作業を容易に行えるようにしている。図３，８，９に示すように、仕切板３７は、前後両側の下部に載置台３６の左側端縁に形成された縦向き縁部３６ａに対して上側から挟み込み係合する挟み込み係止部３８が備えられている。図３に示すように、前後の挟み込み係止部３８を縦向き縁部３７ａに係合させた状態で、前後両側の上部に形成された挿通孔３９を通して挿通するノブボルト４０により、ホッパー支持フレーム２４に設けられたブラケット４１に締結固定されている。ノブボルト４０の締結を解除すると、仕切板３７を容易に取り外すことができる。
【００４８】
図２，４に示すように、載置台３６よりも右側に、穀粒回収作業を行う補助作業者が乗ることができる作業デッキ４２が備えられている。この作業デッキ４２は、機体内方側（左側）端部の前後揺動軸芯Ｚ周りで揺動可能に機体フレーム２Ａに支持され、機体横外方に張り出した作業姿勢と、機体内方側に引退する格納姿勢とに揺動姿勢変更可能なように構成されている。
【００４９】
貯留ホッパー２２よりも上側に、作業領域の上方側を覆う日除け部材としての補助キャノピー４３が備えられている。補助キャノピー４３は、作業デッキ４２に乗ったまま作業領域内で作業する補助作業者に対する日差しを遮ることができる。
【００５０】
〔補助キャノピーについて〕
図１，３，４に示されるように、補助キャノピー４３は、貯留ホッパー２２の天板２２Ｃの右上部に取り付けられた一対の支点ブラケット４４を介して、天板２２Ｃよりも高い位置にある前後向き軸芯Ｘ周りで揺動可能に支持されている。補助キャノピー４３は、作業姿勢の作業デッキ４２の上方を覆う使用状態と、貯留ホッパー２２の天板２２Ｃの上方に引退する格納状態とにわたり姿勢変更可能に支持されている。
【００５１】
図１０に示すように、補助キャノピー４３は、全体を支持する枠状の支持フレーム４５と、支持フレーム４５に装着されるシート部材４６とを備えている。支持フレーム４５は、外周部を囲う矩形状の周枠部４７と、周枠部４７の右辺４７Ｃと左辺４７Ｄとに亘って架設される２本の横向き中継杆４９とを備えている。横向き中継杆４９は、中央側が上方に盛り上がる中膨らみ状に形成されている。
【００５２】
シート部材４６は、例えば、ターポリン等のテント用生地材等が用いられ、シート部材４６は張り合わせ用面ファスナー５０を用いて支持フレーム４５に取り付け固定されている。図１１に示すように、シート部材４６には、支持フレーム４５の周枠部４７の４辺よりも前後方向並びに左右方向に夫々、延長形成された外方延長部５１が形成されている。
４辺の外方延長部５１に沿って面ファスナー５０が設けられ、且つ、生地材における支持フレーム４５よりも内周側に沿って対向用の面ファスナー５０が設けられている。そして、シート部材４６を支持フレーム４５に装着するときは、シート部材４６を支持フレーム４５に載置した状態で、外方延長部５１を折り曲げて面ファスナー５０同士を張り合わせて取り付けるように構成されている。シート部材４６の外方延長部５１のうち横向き中継杆４９に対応する箇所には、切欠き５２が形成されており、横向き中継杆４９を挟み込む状態で張り合わせても、できるだけ隙間が少なくなるように構成されている。
【００５３】
〔ホッパー支持フレームについて〕
ホッパー支持フレーム２４には、貯留ホッパー２２の前後両側端部に対応する位置において、貯留ホッパー２２の前部を支持する前側フレーム５３と、貯留ホッパー２２の後部を支持する後側フレーム５４と、前側フレーム５３と後側フレーム５４とを繋ぐ前後向きの前後向きフレーム５５とが備えられている。
【００５４】
図５に示すように、前側フレーム５３は、機体前側に位置して機体フレーム２Ａから立設された左右の前部縦フレーム５６Ａ，５６Ｂと、左右の前部縦フレーム５６Ａ，５６Ｂの上端部同士にわたって連結された左右向きの前部横フレーム５７とを有している。後側フレーム５４は、機体後側に位置して機体フレーム２Ａから立設された左右の後部縦フレーム５８Ａ，５８Ｂと、左右の後部縦フレーム５８Ａ，５８Ｂの上端部同士にわたって連結された左右向きの後部横フレーム５９とを有している。
【００５５】
左右の前部縦フレーム５６Ａ，５６Ｂは、貯留ホッパー２２よりも前下側で左右横並びに配置され、左右の後部縦フレーム５８Ａ，５８Ｂは、貯留ホッパー２２よりも後下側で左右横並びに配置されている。左側の前部縦フレーム５６Ａと左側の後部縦フレーム５８Ａは、前後方向視で重複するように配置され、右側の前部縦フレーム５６Ｂと右側の後部縦フレーム５８Ｂは、前後方向視で重複するように配置されている。
【００５６】
前部横フレーム５７の左側箇所は、左側の前部縦フレーム５６Ａよりも脱穀装置４側に向けて延びる延出部５７ｃを備えている。この延出部５７ｃの延出端部、即ち脱穀装置４の位置する側の端部に連結ブラケット６０が溶接固定されている。従って、前部横フレーム５７は、左右の前部縦フレーム５６Ａ，５６Ｂの夫々と脱穀装置４の右側壁４Ａとによって三点支持されている。前部横フレーム５７の右側箇所は、右側の前部縦フレーム５６Ｂとの連結箇所よりもすこしだけ右側外方へ延出している。
【００５７】
後部横フレーム５９の左側箇所は左側の後部縦フレーム５８Ａの上部に連結されている。後部横フレーム５９の右側箇所は、右側の後部縦フレーム５８Ｂとの連結箇所よりもすこしだけ右側外方へ延出している。
【００５８】
左側の後部縦フレーム５８Ａと後部横フレーム５９の連結箇所と、左側の前部縦フレーム５６Ａと前部横フレーム５７との連結箇所とに亘り、前後向きの前後向きフレーム５５が連結されている。このように左側の前部縦フレーム５６Ａの略真上と、左側の後部縦フレーム５８Ａの略真上と、に前後向きフレーム５５が配置されるため、前後向きフレーム５５の支持構造が安定的になる。
【００５９】
図７に示すように、前後向きフレーム５５は左右方向に幅広の板状フレームであって且つ断面形状が屈曲部５５ａを有する形状である。すなわち、前後向きフレーム５５のうち、左右方向（短手方向）において脱穀装置４の位置する側と反対側の箇所に、下方向きに折り曲げられた屈曲部５５ａが前後方向に亘って形成されている。つまり、前後向きフレーム５５は前後方向の断面視で略逆Ｕ字状に形成されている。これにより、前後向きフレーム５５の剛性が屈曲部５５ａによって高められる。
【００６０】
ホッパー支持フレーム２４に、脱穀装置４に連結され且つ左右方向に延びる左右向きフレーム６１が備えられている。左右向きフレーム６１は、前後向きフレーム５５と脱穀装置４とを連結するとともに、左右向きフレーム６１の貯留ホッパー２２側の端部が前後向きフレーム５５に載置支持されている。
【００６１】
すなわち、図５，７に示すように、左右向きフレーム６１は、左右に２分割された略帯板状のフレーム構成体６１Ａ，６１Ｂを有し、脱穀装置４の右側壁４Ａから前後向きフレーム５５の前後中間部の後部寄りの部分に向けて延設されている。２つのフレーム構成体６１Ａ，６１Ｂは中間部でボルト連結されている。左側のフレーム構成体６１Ａの左側端部は、脱穀装置４に対する連結部６２に溶接固定され、連結部６２が脱穀装置４の右側壁４Ａにボルト連結されている。右側のフレーム構成体６１Ｂの右側端部は、前後向きフレーム５５の前後中間部のうち、後部寄りの部分における上面に載置支持されている。左側のフレーム構成体６１Ａの途中部には、前後向きフレーム５５から離れるほど下方に位置するように傾斜する傾斜面が形成されている。右側のフレーム構成体６１Ｂの上面は水平な面に形成されている。
【００６２】
図５，６に示すように、前部横フレーム５７に前支持部６４が溶接固定され、後部横フレーム５９に後支持部６５が溶接固定されている。そして、前支持部６４および後支持部６５に、貯留ホッパー２２の支持部材６６の夫々がボルト連結されている。支持部材６６は、板材を折り曲げて形成され、貯留ホッパー２２の前後両側端部における傾斜面部分にボルト連結されている。このようにして貯留ホッパー２２がホッパー支持フレーム２４に支持されている。
【００６３】
図５に示すように、穀粒貯留部５には、作業デッキ４２に載置して穀粒回収作業を行う補助作業者を保護するためのガード部７０と、穀粒回収作業を行う補助作業者が握り操作可能な手摺７１とが備えられている。手摺７１は、丸パイプ材からなり、前後両側端部が前部横フレーム５７と後部横フレーム５９との夫々の機体右側端部にボルト連結されている。
【００６４】
〔ガード部について〕
図６に示すように、ガード部７０に、前側アーム部７０Ａと、後側アーム部７０Ｂと、直線状の背もたれ部７０Ｃと、が備えられている。前側アーム部７０Ａの基端部は、前部横フレーム５７の右側端部に設けられた支点ピン７４により前後軸芯Ｙ周りで揺動可能に支持され、前側アーム部７０Ａは基端部から右方向へ延びている。後側アーム部７０Ｂの基端部は、後部横フレーム５９の右側端部に設けられた支点ピン７５により揺動可能に支持され、後側アーム部７０Ｂは基端部から右方向へ延びている。背もたれ部７０Ｃの長手方向は前後方向に沿って延びている。
【００６５】
ガード部７０は複数の分割体を連結することで構成されている。すなわち、後側アーム部７０Ｂと背もたれ部７０Ｃとが一体形成されたＬ字部材７６と、前側アーム部７０Ａと、が分割体として構成されている。後側アーム部７０Ｂと背もたれ部７０Ｃとは、丸パイプ材を略Ｌ字状に折り曲げることによって、一体的なＬ字形状のＬ字部材７６に構成されている。背もたれ部７０Ｃには、筒状のクッション部材７７が装着されている。クッション部材７７は、例えばウレタン等の柔軟材で構成されている。前側アーム部７０Ａは角形パイプによって構成されている。
【００６６】
Ｌ字部材７６と前側アーム部７０Ａとが分割されている。ガード部７０が分割された状態で、背もたれ部７０Ｃに筒状のクッション部材７７が外嵌されることによって、クッション部材７７は背もたれ部７０Ｃに対して容易に装着可能となる。すなわち、図１６に示すように、背もたれ部７０Ｃの前部にピン孔７０Ｃａが形成され、前側アーム部７０Ａの遊端部に挿通孔７０Ａａが形成されている。丸パイプ材である背もたれ部７０Ｃが挿通可能な大きさとなるように、挿通孔７０Ａａは形成されている。背もたれ部７０Ｃの前部が挿通孔７１ａに差し込まれ、ピン孔７０Ｃａが前側アーム部７０Ａよりも前側に位置する状態で、ピン孔７３ａにスプリングピン７８が差し込み挿通されて抜け止めされる。これにより、背もたれ部７０Ｃは挿通孔７１ａに対して位置保持される。ピン孔７０Ｃａに差し込み挿入されたスプリングピン７８を取り外すことによって、前側アーム部７０Ａと背もたれ部７０Ｃとの連結が解除される。スプリングピン７８には、内部を通して針金７９が備えられ、作業中に外れて脱落しないようにしている。
【００６７】
図４に示されるように、ガード部７０は、前後軸芯Ｙ周りで、使用状態と格納状態とに亘って上下揺動可能に支持されている。ガード部７０の使用状態とは、背もたれ部７０Ｃが貯留ホッパー２２よりも機体横外側へ張り出して作業者の身体を受け止め可能な状態である（図４では実線で示す）。ガード部７０の格納状態とは、背もたれ部７０Ｃが機体横内側へ引退して貯留ホッパー２２の天板２２Ｃに接近する状態である（図４では仮想線で示す）。
【００６８】
前部横フレーム５７の右側端部に前側係止部８０が溶接固定され、後部横フレーム５９の右側端部に後側係止部８１が溶接固定されている。使用状態では、前側係止部８０と前側アーム部７０Ａとが接当するとともに、後側係止部８１と後側アーム部７０Ｂとが接当して、下方側への揺動を規制する。
【００６９】
ガード部７０が使用状態である場合、前側アーム部７０Ａおよび後側アーム部７０Ｂは機体横外方の箇所ほど下方に位置するように傾斜し、かつ、背もたれ部７０Ｃが作業デッキ４２の外側端部よりも機体横外側へ突出する。つまり、ガード部７０が使用状態である場合、背もたれ部７０Ｃは、前側アーム部７０Ａおよび後側アーム部７０Ｂの夫々の前後軸芯Ｙよりも下側に位置するとともに、作業デッキ４２の外側端部よりも機体横外側、即ち、貯留ホッパー２２に向き合う作業者の背中側に位置する。
【００７０】
〔保持機構について〕
ガード部７０が格納状態である場合、前側アーム部７０Ａおよび後側アーム部７０Ｂの夫々は、機体前後方向視で前後軸芯Ｙよりも機体内側へ傾斜し、背もたれ部７０Ｃは、前側アーム部７０Ａおよび後側アーム部７０Ｂの夫々の前後軸芯Ｙよりも機体内側に位置する。そして、ガード部７０を格納状態で位置保持可能な前部側保持機構８２と後部側保持機構８３とが備えられている。
【００７１】
前部側保持機構８２について説明する。
図１３，１４に示すように、貯留ホッパー２２の天板２２Ｃの上部に取り付けられた一対の支点ブラケット４４のうち、機体前側の支点ブラケット４４に、前部側保持機構８２がボルト固定によって取り付けられている。前部側保持機構８２は、例えば平板のプレス成型によって、前後方向視で略Ｃ字状となるように形成されている。機体左側端部に位置する支持基端部８２Ａが支点ブラケット４４にボルト固定されている。支持基端部８２Ａから、機体上側の上収容部８２Ｂと、機体下側の下収容部８２Ｃと、が夫々延出されている。支持基端部８２Ａから前方に反発部８２Ｄが延出されている。
【００７２】
前部側保持機構８２の機体右側端部、即ち、上収容部８２Ｂの延出先端部と、下収容部８２Ｃの延出先端部と、の夫々に、幅狭の離間距離Ｄ１を有する上下一対の案内部が形成されている。離間距離Ｄ１は、背もたれ部７０Ｃの断面直径Ｄ２よりも小さい。上収容部８２Ｂの上端部と下収容部８２Ｃの下端部との離間距離が、背もたれ部７０Ｃの断面直径Ｄ２と略同じ、または、断面直径Ｄ２よりも大きくなるように、上収容部８２Ｂおよび下収容部８２Ｃは形成されている。
【００７３】
反発部８２Ｄは、前後方向において支持基端部８２Ａの位置する側と反対側の箇所に、機体右方に突起している。背もたれ部７０Ｃの一部が収容空間の内側に入り込むと、反発部８２Ｄと背もたれ部７０Ｃとが接当して、背もたれ部７０Ｃは、反発部８２Ｄの付勢力によって押し付けられる。これにより、背もたれ部７０Ｃの収納箇所は、収容空間Ｓの内側でガタつくことなく、収容された状態に維持される。
【００７４】
後部側保持機構８３について説明する。
後部側保持機構８３は、後側アーム部７０Ｂの基端部付近に備えられている。図１５に示すように、後部側保持機構８３は、ガード部７０が格納状態にあるときに後側アーム部７０Ｂに接当して作用状態に戻ることを規制するロック作用位置と、後側アーム部７０Ｂの移動領域から引退して作用状態に戻ることを許容する解除位置とにスライド移動可能なロック部材８４と、ロック部材８４を前後方向にスライド可能に支持する側面視略Ｕ字形の支持部材８５と、ロック部材８４をロック作用位置に移動付勢するコイルバネ８６とが備えられている。
【００７５】
ロック部材８４は、棒材を略Ｌ字形に折り曲げた形状であり、支持部材８５の前後の縦面部８５ａに形成された挿通孔を挿通する状態で設けられている。ロック部材８４の支持部材８５の内部に位置する箇所にコイルバネ８６が外装され、コイルバネ８６によってロック部材８４が後側アーム部７０Ｂの移動領域に突出するように移動付勢されている。
【００７６】
後側アーム部７０Ｂが使用状態から格納状態への切り換わるときに、後側アーム部７０Ｂのうちロック作用状態に移動付勢されているロック部材８４に摺接して、後側アーム部７０Ｂの揺動に伴ってロック部材８４を解除位置に移動するように案内する案内傾斜部材８７が備えられている。
【００７７】
このような構成によって、手動操作によって後側アーム部７０Ｂを使用状態から格納状態に向けて揺動させると、案内傾斜部材８７の案内作用によってロック部材８４が解除位置に向けて押し移動されて退避するので、後側アーム部７０Ｂを格納状態に移動させることができる。後側アーム部７０Ｂが格納状態にまで揺動すると、ロック部材８４はコイルバネ８６の付勢力によって自動的にロック作用位置に復帰するので、ガード部７０が作用状態に戻ることを規制することができる。
【００７８】
〔電装品について〕
図３，４，５に示すように、電装品Ｄとして、回収空間２３を照らす作業灯８８が、前後向きフレーム５５の下方側に位置する状態でホッパー支持フレーム２４に支持されている。左側の後部縦フレーム５８Ａの前側面における前後向きフレーム５５の下方位置に、断面形状がＬ字状のアングル部材によって構成されるブラケット８９が一体連結されている。このブラケット８９に作業灯８８がボルト連結されている。作業灯８８は、幅広の前後向きフレーム５５の下方側に位置している。このように配置することで、作業灯８８に雨水が降りかかるのを防止することができる。
【００７９】
電装品Ｄとしては、作業灯８８の他、図１，３に示すように、後進状態を報知するためのブザー９０も設けられている。ブザー９０は、後側の支持部材６６に取り付けられている。
【００８０】
そして、作業灯８８やブザー９０等の貯留ホッパー２２の後部に備えられた電装品Ｄは、電気配線Ｈを介して、運転部３におけるフロントパネル１４あるいはサイドパネル１７の内方側に備えられた図示しない制御装置に接続されている。電装品Ｄは、例えば、フロントパネル１４に備えられた操作スイッチ９１（図２参照）等の操作指令に基づいて、制御装置によって運転動作が切り換えられるように構成されている。図５に示すように、電気配線Ｈは、前後向きフレーム５５に沿って前後に延びる状態で備えられている。このように構成することで、幅広で剛性の高い前後向きフレーム５５を利用して電気配線Ｈを安定的に支持することができる。尚、貯留ホッパー２２に備えられる電装品Ｄとしては、図示はしていないが、貯留ホッパー２２の貯留空間における穀粒の貯留量を検知する貯留量センサがあるが、この貯留量センサに対する電気配線も同様に、前後向きフレーム５５に沿って前後に延びる状態で備えられている。
【００８１】
〔作業台〕
次に、作業台３２について説明する。
図２，３，５に示すように、作業台３２として、揚穀装置２０よりも前側に位置する前部作業台３２Ａと、揚穀装置２０よりも後側に位置する後部作業台３２Ｂとが備えられている。前部作業台３２Ａは、後部側が前側ステーとしての前側の連結ステー２５に支持され、前部側がホッパー支持フレーム２４に支持されている。又、後部作業台３２Ｂは、前部側が後側ステーとしての後側の連結ステー２５に支持され、後部側がホッパー支持フレーム２４に支持されている。
【００８２】
説明を加えると、図５に示すように、揚穀装置２０よりも前側に位置する前部作業台３２Ａは、左右方向に幅広の板体にて構成され、前部作業台３２Ａの前部右側箇所が、ホッパー支持フレーム２４における前部横フレーム５７から立設された連結部材９３によって下面側から支持されている。連結部材９３は、帯板の上下両側が略Ｌ字に折り曲げ形成され、下端部が前部横フレーム５７の上面に溶接固定され、上端部が前部作業台３２Ａにボルト連結されている。前部作業台３２Ａの後部右側箇所が、前側の連結ステー２５に溶接固定された略Ｌ字形の支持ブラケット９４にて下面側から接当する状態で受止め支持されている。前部作業台３２Ａの左側箇所は、脱穀装置４の天板に載置支持された状態で前後方向に分散した複数箇所にてボルト連結されている。
【００８３】
後部作業台３２Ｂは、左右方向に幅広の板体にて構成され、図７にも示すように、前部右側箇所には、側面視略Ｌ字形の補強体９５が一体的に備えられ、後側の連結ステー２５に溶接固定された略Ｌ字形の支持ブラケット９６にて補強体９５を介して下面側から受止め支持されている。
【００８４】
図５，７に示すように、後部作業台３２Ｂの後部右側箇所が、脱穀装置４の右側壁４Ａから立設された第１支持ブラケット９７、及び、ホッパー支持フレーム２４における左右向きフレーム６１から立設された第２支持ブラケット９８により支持されている。後部作業台３２Ｂの左側箇所は、脱穀装置４の天板に載置支持された状態で前後方向に分散した複数箇所にてボルト連結されている。尚、支持ブラケット９６の横側に位置して後側の連結ステー２５にボルト連結されている縦板９９は、排気管を支持するための支持板である。
【００８５】
第１支持ブラケット９７は、帯板を略Ｚ字状に屈曲して形成され、下端部が脱穀装置の右側壁にボルト連結され、上に向かうほど右側に位置する傾斜姿勢で上方に延びている。
そして、上端部が後部作業台３２Ｂの右側の縦面部９２にボルト連結されている。第２支持ブラケット９８は、帯板を略Ｌ字状に屈曲して形成され、下端部が左右向きフレーム６１における左側のフレーム構成体６１Ａの傾斜面よりも右側の平坦面部分に溶接固定され、上方に向けて延びている。第２支持ブラケット９８の上端部が後部作業台３２Ｂの右側の縦面部９２にボルト連結されている。
【００８６】
このようにして、前部作業台３２Ａと後部作業台３２Ｂとが夫々、揚穀装置２０の前後両側の連結ステー２５、ホッパー支持フレーム２４、及び、脱穀装置４の夫々によって、安定的に支持されている。
【００８７】
〔別実施形態〕
（１）上記実施形態では、作業台３２が、前部作業台３２Ａと後部作業台３２Ｂとに分割され、前部作業台３２Ａの後部側が前側の連結ステー２５に支持され、前部作業台３２Ａの前部側がホッパー支持フレーム２４に支持され、後部作業台の前部側が後側ステーに支持され、後部作業台の後部側が前記ホッパー支持フレームに支持される構成としたが、この構成に代えて、前部作業台３２Ａの後部側及び後部作業台３２Ｂの前部側が、ステー２５ではなく、別途備えて専用の支持部材にて支持するようにしてもよい。又、作業台３２が前後方向に一連に連なる形状にしてもよく、ホッパー支持フレーム２４にのみ支持させる構成としてもよい。
【００８８】
（２）上記実施形態では、作業台３２が前後向きフレーム５５及び左右向きフレーム６１に支持される構成としたが、この構成に代えて、作業台３２が前側フレーム５３や後側フレーム５４に支持される構成としてもよい。
【００８９】
（３）上記実施形態では、前後向きフレーム５５は断面形状が屈曲部５５ａを有する形状としたが、この構成に代えて、前後向きフレーム５５が、平板、角筒部材、円筒部材等、種々の形状に構成されるものでもよい。
【産業上の利用可能性】
【００９０】
本発明は、刈取穀稈を脱穀処理する脱穀装置と脱穀処理された穀粒を貯留する貯留ホッパーとが左右方向に並ぶ状態で備えられているコンバインに適用できる。
【符号の説明】
【００９１】
４            脱穀装置
２０          揚穀装置
２２          貯留ホッパー
２４          ホッパー支持フレーム
２５          ステー
３２          作業台
３２Ａ        前部作業台
３２Ｂ        後部作業台
５３          前側フレーム
５４          後側フレーム
５５          前後向きフレーム
５５ａ        屈曲部
６１          左右向きフレーム
８８          作業灯
Ｄ            電装品
Ｈ            電気配線
【手続補正書】
【提出日】令和2年2月12日(2020.2.12)
【手続補正１】
【補正対象書類名】特許請求の範囲
【補正対象項目名】全文
【補正方法】変更
【補正の内容】
【特許請求の範囲】
【請求項１】
機体左右方向一方側に偏倚する状態で設けられ、刈取穀稈を脱穀処理する脱穀装置と、
機体左右方向他方側に偏倚する状態及び前記脱穀装置と横並びの状態で設けられ、且つ、脱穀処理された穀粒を貯留する貯留空間及び貯留している穀粒を排出可能な排出部を有する貯留ホッパーと、
前記貯留ホッパーを支持するホッパー支持フレームと、
前記脱穀装置と前記貯留ホッパーとの間に位置して前後方向に延びる作業台と、が備えられ、
前記作業台が、前記ホッパー支持フレームに支持され、
前記ホッパー支持フレームに、前記脱穀装置に連結され且つ左右方向に延びる左右向きフレームと、前記貯留ホッパーの前部を支持する前側フレームと、前記貯留ホッパーの後部を支持する後側フレームと、前記前側フレームと前記後側フレームとを繋ぐ前後向きの前後向きフレームとが備えられ、
前記左右向きフレームは、前記前後向きフレームと前記脱穀装置とを連結するとともに、前記左右向きフレームの前記貯留ホッパー側の端部が前記前後向きフレームに載置支持され、
前記作業台が前記左右向きフレームに支持されているコンバイン。
【請求項２】
前記脱穀装置と前記貯留ホッパーとの間に、前記脱穀装置から搬出される穀粒を上方に搬送して前記貯留ホッパーの上部に供給する揚穀装置が備えられ、
前記揚穀装置を前記脱穀装置のうちの前記貯留ホッパー側の部分に支持するステーが備えられ、
前記作業台は、一端側が前記ステーに支持され、他端側が前記ホッパー支持フレームに支持されている請求項１に記載のコンバイン。
【請求項３】
前記作業台として、前記揚穀装置よりも前側に位置する前部作業台と、前記揚穀装置よりも後側に位置する後部作業台とが備えられ、
前記ステーとして、前記揚穀装置の前側に位置する前側ステーと、前記揚穀装置の後側に位置する後側ステーとが備えられ、
前記前部作業台は、後部側が前記前側ステーに支持され、前部側が前記ホッパー支持フレームに支持され、
前記後部作業台は、前部側が前記後側ステーに支持され、後部側が前記ホッパー支持フレームに支持されている請求項２に記載のコンバイン。
【請求項４】
前記作業台は、前記前後向きフレームに支持されている請求項１〜３のいずれか１項に記載のコンバイン。
【請求項５】
前記前後向きフレームは、断面形状が屈曲部を有する形状である請求項１〜４のいずれか１項に記載のコンバイン。
【請求項６】
前記貯留ホッパーあるいは前記ホッパー支持フレームに電装品が支持され、
前記電装品に対する電気配線が、前記貯留ホッパーよりも前側箇所から前記前後向きフレームに沿わされて延びる状態で前記前後向きフレームに支持されている請求項５に記載のコンバイン。
【請求項７】
前記電装品として前記貯留ホッパーの下方を照らす作業灯が備えられ、
前記作業灯が前記前後向きフレームの下方に位置する状態で前記ホッパー支持フレームに支持されている請求項６に記載のコンバイン。
【手続補正２】
【補正対象書類名】明細書
【補正対象項目名】全文
【補正方法】変更
【補正の内容】
【発明の詳細な説明】
【技術分野】
【０００１】
本発明は、刈取穀稈を脱穀処理する脱穀装置と脱穀処理された穀粒を貯留する貯留ホッパーとが左右方向に並ぶ状態で備えられているコンバインに関する。
【背景技術】
【０００２】
上記コンバインにおいて、従来では、貯留ホッパーの機体後部側に燃料タンクが備えられ、その燃料タンクの上面を作業台として利用するようにして、脱穀装置や貯留ホッパーのメンテナンス作業を行えるようにしたものがあった（例えば、特許文献１参照）。
【先行技術文献】
【特許文献】
【０００３】
【特許文献１】特開２０１４−１８３８１５号公報
【発明の概要】
【発明が解決しようとする課題】
【０００４】
上記従来構成では、燃料タンクを簡易的な作業台として利用するものに過ぎないので、メンテナンス作業、特に、背高で大型の脱穀装置における扱室の清掃や点検作業等は行い難いものとなっていた。
【０００５】
ところで、脱穀処理にて得られた穀粒を貯留する穀粒貯留装置として、穀粒タンクを備える構成であれば、穀粒タンク及び穀粒排出用のアンローダ等を支持するために支持強度の大きい複数の支柱が前後方向に間隔をあけて存在することから、これらの支柱を利用して、脱穀装置と貯留ホッパーとの間の高い位置に作業台を設けることが考えられた。しかし、貯留ホッパーを備える構成であれば、上記したような穀粒タンクを支持する複数の支柱が存在しないことから、その構成はそのまま適用することができない。
【０００６】
そこで、貯留ホッパーを備える構成のコンバインにおいて、支持構造を複雑にすることなく、脱穀装置等のメンテナンス作業を容易に行えるようにすることが望まれていた。
【課題を解決するための手段】
【０００７】
本発明に係るコンバインの特徴構成は、機体左右方向一方側に偏倚する状態で設けられ、刈取穀稈を脱穀処理する脱穀装置と、機体左右方向他方側に偏倚する状態、且つ、前記脱穀装置と横並びの状態で設けられ、脱穀処理された穀粒を貯留する貯留空間及び貯留している穀粒を排出可能な排出部を有する貯留ホッパーと、前記貯留ホッパーを支持するホッパー支持フレームと、前記脱穀装置と前記貯留ホッパーとの間に設けられ、前後方向に沿って延びる作業台と、が備えられ、前記作業台が、前記ホッパー支持フレームに支持され、前記ホッパー支持フレームに、前記脱穀装置に連結され且つ左右方向に延びる左右向きフレームと、前記貯留ホッパーの前部を支持する前側フレームと、前記貯留ホッパーの後部を支持する後側フレームと、前記前側フレームと前記後側フレームとを繋ぐ前後向きの前後向きフレームとが備えられ、前記左右向きフレームは、前記前後向きフレームと前記脱穀装置とを連結するとともに、前記左右向きフレームの前記貯留ホッパー側の端部が前記前後向きフレームに載置支持され、前記作業台が前記左右向きフレームに支持されている点にある。
【０００８】
本発明によれば、横並び状態の脱穀装置と貯留ホッパーとの間に前後方向に延びる作業台が備えられる。例えば、脱穀装置の内部の清掃や点検等のメンテナンス作業を行う場合には、この作業台に乗って作業することにより、身体をできるだけ作業対象となる位置に近づけた状態で、作業を容易に行うことができる。
また、本構成によれば、ホッパー支持フレームは、その前部を支持するために上下に剛性の高い前側フレームと、後部を支持するために上下に剛性の高い後側フレームとが、前後向きフレームにより連結されるので、ホッパー支持フレーム全体の剛性が前後に亘って高められる。
また、本構成によれば、脱穀装置は大型で且つ剛性の高い装置であり、このような脱穀装置に連結された左右向きフレームがホッパー支持フレームに備えられるので、ホッパー支持フレーム全体の剛性をさらに高められる。そして、このような左右向きフレームを有効に利用して作業台を強固に支持することができる。
また、本構成によれば、ホッパー支持フレームは、上下に剛性の高い前側フレーム及び後側フレーム、前後に亘って剛性を高める前後向きフレームにより、全体の剛性が高められるとともに、前後向きフレームと脱穀装置とを連結する左右向きフレームによりさらに剛性を高めることができる。そして、左右向きフレームの貯留ホッパー側の端部が前後向きフレームに載置支持されているので、作業台に過大な荷重が掛かっても、前後向きフレームによって受止め支持することができ、左右向きフレームと前後向きフレームとが離脱するおそれがなく、安定的に支持することができる。
【０００９】
作業台は、貯留ホッパーを支持するために備えられているホッパー支持フレームを用いて支持される。その結果、特別な支持用の部材を機体フレームから立設する等の構造の複雑化を招くことなく、簡易な構成で作業台を支持することができる。
【００１０】
従って、貯留ホッパーを備える構成のコンバインにおいて、支持構造を複雑にすることなく、脱穀装置等のメンテナンス作業を容易に行えるようにすることが可能となった。
【００１１】
本発明においては、前記脱穀装置と前記貯留ホッパーとの間に、前記脱穀装置から搬出される穀粒を上方に搬送して前記貯留ホッパーの上部に供給する揚穀装置が備えられ、前記揚穀装置を前記脱穀装置のうちの前記貯留ホッパー側の部分に支持するステーが備えられ、前記作業台のうちの前後方向一方側部分が前記ステーに支持され、前記作業台のうちの前後方向他端部分が前記ホッパー支持フレームに支持されていると好適である。
【００１２】
本構成によれば、揚穀装置が脱穀装置と貯留ホッパーとの間に備えられるので、脱穀装置と貯留ホッパーとの間において前後に延びる作業台は、揚穀装置の近傍に位置することになる。そこで、揚穀装置を脱穀装置に支持するためのステーを有効に利用することで、支持構造を複雑にすることなく、作業台の揚穀装置に近い側の一端部を支持することができる。
【００１３】
本発明においては、前記作業台として、前記揚穀装置よりも前側に位置する前部作業台と、前記揚穀装置よりも後側に位置する後部作業台とが備えられ、前記ステーとして、前記揚穀装置よりも前側に位置する前側ステーと、前記揚穀装置よりも後側に位置する後側ステーとが備えられ、前記前部作業台の後端部が前記前側ステーに支持され、前記前部作業台の前端部が前記ホッパー支持フレームに支持され、前記後部作業台の前端部が前記後側ステーに支持され、前記後部作業台の後端部が前記ホッパー支持フレームに支持されていると好適である。
【００１４】
本構成によれば、脱穀装置において穀粒が排出される箇所は、前後中間位置に設けられるので、揚穀装置は、脱穀装置と貯留ホッパーとの前後向きの空き領域のうちの前後中間位置に位置する。そこで、作業台として、揚穀装置よりも前側に位置する前部作業台と揚穀装置よりも後側に位置する後部作業台とに分離させて配置することで、空き領域を有効に利用して作業台を配備することができる。そして、揚穀装置を脱穀装置に対して強固に支持するために備えられる前側ステーと後側ステーとを有効に利用して、前部作業台と後部作業台とを合理的に支持することができる。
【００１５】
【００１６】
【００１７】
本発明においては、前記作業台は、前記前後向きフレームに支持されていると好適である。
【００１８】
本構成によれば、ホッパー支持フレームの剛性を高めるために備えられた前後向きフレームを用いて、作業台を強固に支持することができる。
【００１９】
【００２０】
【００２１】
【００２２】
【００２３】
本発明においては、前記前後向きフレームは、断面形状が屈曲部を有する形状であると好適である。
【００２４】
本構成によれば、前後向きフレームは屈曲部を有することで、材料の厚みを増すことなく剛性を高めることができるので、安価で軽量な構造でありながら、作業台に荷重が掛かっても下方側へ曲がり変形するおそれが少ないものにできる。
【００２５】
本発明においては、前記貯留ホッパー及び前記ホッパー支持フレームのうち少なくともいずれか一方に、電装品が支持され、前記電装品に対する電気配線が、前記貯留ホッパーよりも前側箇所から前記前後向きフレームに沿わされて延びる状態で前記前後向きフレームに支持されていると好適である。
【００２６】
本構成によれば、剛性の高い前後向きフレームを利用して電気配線を安定的に支持することができる。
【００２７】
本発明においては、前記電装品として前記貯留ホッパーの下方を照らす作業灯が備えられ、前記作業灯が前記前後向きフレームの下方に位置する状態で前記ホッパー支持フレームに支持されていると好適である。
【００２８】
本構成によれば、作業灯が前後向きフレームの下方に位置するので、雨が降っていても、作業灯に直接に雨が降りかかることが回避することが可能であり、作業灯の耐久性を高めることができる。
【図面の簡単な説明】
【００２９】
【図１】コンバインの全体側面図である。
【図２】コンバインの全体平面図である。
【図３】穀粒貯留部の側面図である。
【図４】穀粒貯留部の背面図である。
【図５】ホッパー支持フレームの斜視図である。
【図６】ホッパー支持フレームとその周辺との関係を示す平面図である。
【図７】前後向きフレームの脱穀装置に対する連結構造を示す縦断背面図である。
【図８】仕切板の係止構造を示す斜視図である。
【図９】仕切板の係止構造を示す縦断背面図である。
【図１０】支持フレームの斜視図である。
【図１１】シート部材の支持フレームに対する装着前の展開図である。
【図１２】補助キャノピーの縦断背面図である。
【図１３】前部側保持機構を示す背面図である。
【図１４】前部側保持機構を示す平面図である。
【図１５】後部側保持機構を示す斜視図である。
【図１６】ガード部の連結構造を示す斜視図である。
【発明を実施するための形態】
【００３０】
以下、本発明に係る実施形態をコンバインの一例としての普通型コンバインに適用した場合について図面に基づいて説明する。
【００３１】
〔コンバインの基本構成〕
図１および図２に示されるように、普通型コンバインは、左右一対のクローラ走行装置１を備えた走行機体２の前部右側に運転部３が備えられ、刈り取られた作物を脱穀処理する脱穀装置４と、脱穀処理により得られた穀粒を貯留する穀粒貯留部５とが備えられている。穀粒貯留部５は運転部３の後側に位置する状態で備えられ、穀粒貯留部５が機体右側に位置し、脱穀装置４が機体左側に位置する状態で、穀粒貯留部５と脱穀装置４とが機体横幅方向に沿って並んで位置している。また、運転部３よりも下側にエンジン６が備えられ、エンジン６の動力が、コンバインの各部に伝達される。
【００３２】
この実施形態では、機体の前後方向を定義するときは、作業状態における機体進行方向に沿って定義し、機体の左右方向を定義するときは、機体進行方向視で見た状態で左右を定義する。すなわち、図１および図２に符号「Ｆ」で示す方向が機体前側、図１および図２に符号「Ｂ」で示す方向が機体後側である。図２に符号「Ｌ」で示す方向が機体左側、図２に符号「Ｒ」で示す方向が機体右側である。
【００３３】
脱穀装置４の前部に横軸芯周りに上下揺動可能に刈取穀稈搬送用のフィーダ７が連結され、このフィーダ７の前端に略機体横幅に相当する刈幅を有する刈取部８が連結されている。刈取部８は、植立穀稈を後方に向けて掻き込む回転リール９、植立穀稈の株元を切断して刈り取るバリカン型の刈取装置１０、刈取穀稈を機体横幅方向中間側へ横送り移送する横送りオーガ１１等を備えており、刈取装置１０により刈り取った穀稈を横送りオーガ１１によって横送りしてフィーダ７に供給する。
【００３４】
運転部３には、運転座席１２と、運転座席１２よりも前側に位置して操向操作レバー１３等の複数の操作具を備えるフロントパネル１４と、運転座席１２よりも左横側に位置して変速レバー１５等の種々の操作具を備えるサイドパネル１７等が備えられている。運転座席１２よりも右横側には、図示しないラジエータファンの作用によってエンジン６に対する冷却風を吸気するための防塵ダクト１８が備えられている。運転部３には、運転部３に着座する運転者に対する日差しを防ぐ運転部キャノピー１９が備えられている。
【００３５】
脱穀装置４の左右両側は側壁によって覆われ、脱穀装置４の上部は天板４Ｂによって覆われている。そして、図示はしないが、左右の側壁と天板４Ｂにより囲われた内部空間の上部側に、扱胴と受網（図示せず）とを有し、フィーダ７より搬送されてくる刈取穀稈の扱き処理を行う扱室が形成されている。また、扱室の下部に、受網から漏下する扱き処理物を、穀粒、枝付き籾等の二番物、および、排ワラ屑等に選別する選別処理部が備えられている。
【００３６】
脱穀装置４における穀粒貯留部５側の右側壁４Ａの横外側方にスクリューコンベアからなる揚穀装置２０が備えられている。選別処理部にて選別された穀粒は、一番物回収スクリューにより脱穀装置４の穀粒貯留部５側の横側外方に排出され、揚穀装置２０へ送り出される。そして穀粒は、揚穀装置２０により上方に搬送され、穀粒貯留部５内に貯留される。
【００３７】
図３に示すように、穀粒貯留部５は、脱穀処理された穀粒を貯留する貯留空間を有するとともにその貯留空間よりも下側に穀粒を排出可能な排出部として排出口２１を有する貯留ホッパー２２と、貯留ホッパー２２から排出される穀粒を回収する回収空間２３と、貯留ホッパー２２を支持するホッパー支持フレーム２４とが備えられている。ホッパー支持フレーム２４の構成については後で詳述する。
【００３８】
図６に示されるように、揚穀装置２０の上部側箇所が、平面視で略Ｌ字形の板体からなる前後一対の連結ステー２５により脱穀装置４の貯留ホッパー２２側の部分としての右側壁４Ａに連結固定されている。一対の連結ステー２５の夫々において、一端部が揚穀装置２０の外周部に溶接にて連結され、他端部が、脱穀装置４の右側壁４Ａにボルト連結されている。
【００３９】
選別処理部にて得られた二番物は、二番物回収スクリュー（図示せず）により脱穀装置４の穀粒貯留部５側の横側外方に排出される。そして、図１および図３に示されるように、脱穀装置４における穀粒貯留部５側の横側に備えられた二番物還元装置２６によって二番物が脱穀装置４の前側部分に還元される。排ワラ屑等は、脱穀装置４の機体後部側外方に排出される。
【００４０】
エンジン６から排出される燃焼後の排気は、エンジン６よりも左上側に位置するマフラー２７を通過したのち、排気管２８の管内を流動して機体後部の出口としての排気口２９から外方に排出される。排気管２８の前部は後上がりに傾斜して、エンジン６からの排気が供給される排気流入口よりも排気口２９の方が高い位置になる状態で、脱穀装置４と穀粒貯留部５との間を通って機体後部まで延ばされている。
【００４１】
脱穀装置４と貯留ホッパー２２との間の領域のうち、貯留ホッパー２２よりも下側の領域、かつ、排気口２９よりも下側の領域に、燃料タンク３０が備えられている。燃料タンク３０は、脱穀装置４よりも機体後側に突出する状態で機体フレーム２Ａに支持されている。燃料タンク３０は平面視で貯留ホッパー２２と部分的に重複する。燃料タンク３０は矩形箱状体に構成されている。
【００４２】
燃料タンク３０よりも前側にセパレータ３１が配置され、セパレータ３１は燃料タンク３０からエンジン６への給油経路に設けられ、燃料中に含まれる水分等の不純物がセパレータ３１によって分離除去される。図示はしないが、セパレータ３１に筒状のドレンタンクが設けられ、ドレンタンクは内部のドレン水を透視可能な透明部材で構成されている。
ドレンタンクの外周に沿って目盛りが設けられ、作業者は、ドレンタンクに貯留されたドレン水のたまり度合いを目盛りと共に確認できる。
【００４３】
脱穀装置４と貯留ホッパー２２との間の領域には、脱穀装置４の側板の上端に対応する高い位置に、排気管２８の上側を覆う状態で作業台３２が備えられている。作業台３２は、例えば、脱穀装置４の内部の清掃作業や点検作業等を行うために、作業者が載置可能に設けられている。作業台３２の構成については後で詳述する。
【００４４】
〔穀粒貯留部〕
図３，４に示すように、貯留ホッパー２２は、上部側に、略直方体形状の貯留空間を形成する略無底箱状の矩形箱状部２２Ａが備えられ、下部側に、三つの下狭まり状の漏斗部３３を有する流下案内部２２Ｂが備えられている。矩形箱状部２２Ａの内部空間と流下案内部２２Ｂの内部空間の全体により穀粒を貯留する貯留空間が形成されている。三つの漏斗部３３の下端部には、穀粒を下方に排出可能な排出口２１が形成され、その排出口２１を開閉可能な手動操作式のシャッター機構３４（図４参照）が備えられている。
【００４５】
回収空間２３には、貯留ホッパー２２の排出口２１から排出される穀粒を収容するための穀粒収容袋を縦姿勢で保持する袋保持部３５が備えられている。袋保持部３５は、穀粒収容袋の上部に係止して縦姿勢を保持するために、複数の左右向きの支持杆３５ａが片持ち状に延びる状態で備えられている。貯留ホッパー２２よりも下側に、穀粒を収容するための穀粒収容袋を受止め支持するための載置台３６が備えられている。貯留ホッパー２２と載置台３６との間の作業空間としての回収空間２３において、穀粒収容袋が配置され、排出口２１から流下する穀粒が袋詰めにされる。
【００４６】
載置台６７のうち、脱穀装置４の位置する側の側端部に、仕切板３７が設けられ、仕切板３７は、貯留ホッパー２２よりも下側の回収空間２３と、脱穀装置４と貯留ホッパー２２との間の空間と、を区画する。仕切板３７の長手方向は機体前後方向に沿い、仕切板３７の短手方向は機体上下方向に沿う。仕切板３７は燃料タンク３０およびセパレータ３１よりも機体右側、即ち燃料タンク３０およびセパレータ３１に対して脱穀装置４の位置する側と反対側に設けられている。この構成によって、たとえ穀粒収容袋が脱穀装置４の位置する側に倒れる場合であっても、穀粒収容袋は仕切板３７によって受け止められて回収空間２３に留まる。
【００４７】
仕切板３７は、容易に取り外すことができるように構成され、セパレータ３１の点検や揚穀装置の点検等のメンテナンス作業を容易に行えるようにしている。図３，８，９に示すように、仕切板３７は、前後両側の下部に載置台３６の左側端縁に形成された縦向き縁部３６ａに対して上側から挟み込み係合する挟み込み係止部３８が備えられている。図３に示すように、前後の挟み込み係止部３８を縦向き縁部３７ａに係合させた状態で、前後両側の上部に形成された挿通孔３９を通して挿通するノブボルト４０により、ホッパー支持フレーム２４に設けられたブラケット４１に締結固定されている。ノブボルト４０の締結を解除すると、仕切板３７を容易に取り外すことができる。
【００４８】
図２，４に示すように、載置台３６よりも右側に、穀粒回収作業を行う補助作業者が乗ることができる作業デッキ４２が備えられている。この作業デッキ４２は、機体内方側（左側）端部の前後揺動軸芯Ｚ周りで揺動可能に機体フレーム２Ａに支持され、機体横外方に張り出した作業姿勢と、機体内方側に引退する格納姿勢とに揺動姿勢変更可能なように構成されている。
【００４９】
貯留ホッパー２２よりも上側に、作業領域の上方側を覆う日除け部材としての補助キャノピー４３が備えられている。補助キャノピー４３は、作業デッキ４２に乗ったまま作業領域内で作業する補助作業者に対する日差しを遮ることができる。
【００５０】
〔補助キャノピーについて〕
図１，３，４に示されるように、補助キャノピー４３は、貯留ホッパー２２の天板２２Ｃの右上部に取り付けられた一対の支点ブラケット４４を介して、天板２２Ｃよりも高い位置にある前後向き軸芯Ｘ周りで揺動可能に支持されている。補助キャノピー４３は、作業姿勢の作業デッキ４２の上方を覆う使用状態と、貯留ホッパー２２の天板２２Ｃの上方に引退する格納状態とにわたり姿勢変更可能に支持されている。
【００５１】
図１０に示すように、補助キャノピー４３は、全体を支持する枠状の支持フレーム４５と、支持フレーム４５に装着されるシート部材４６とを備えている。支持フレーム４５は、外周部を囲う矩形状の周枠部４７と、周枠部４７の右辺４７Ｃと左辺４７Ｄとに亘って架設される２本の横向き中継杆４９とを備えている。横向き中継杆４９は、中央側が上方に盛り上がる中膨らみ状に形成されている。
【００５２】
シート部材４６は、例えば、ターポリン等のテント用生地材等が用いられ、シート部材４６は張り合わせ用面ファスナー５０を用いて支持フレーム４５に取り付け固定されている。図１１に示すように、シート部材４６には、支持フレーム４５の周枠部４７の４辺よりも前後方向並びに左右方向に夫々、延長形成された外方延長部５１が形成されている。
４辺の外方延長部５１に沿って面ファスナー５０が設けられ、且つ、生地材における支持フレーム４５よりも内周側に沿って対向用の面ファスナー５０が設けられている。そして、シート部材４６を支持フレーム４５に装着するときは、シート部材４６を支持フレーム４５に載置した状態で、外方延長部５１を折り曲げて面ファスナー５０同士を張り合わせて取り付けるように構成されている。シート部材４６の外方延長部５１のうち横向き中継杆４９に対応する箇所には、切欠き５２が形成されており、横向き中継杆４９を挟み込む状態で張り合わせても、できるだけ隙間が少なくなるように構成されている。
【００５３】
〔ホッパー支持フレームについて〕
ホッパー支持フレーム２４には、貯留ホッパー２２の前後両側端部に対応する位置において、貯留ホッパー２２の前部を支持する前側フレーム５３と、貯留ホッパー２２の後部を支持する後側フレーム５４と、前側フレーム５３と後側フレーム５４とを繋ぐ前後向きの前後向きフレーム５５とが備えられている。
【００５４】
図５に示すように、前側フレーム５３は、機体前側に位置して機体フレーム２Ａから立設された左右の前部縦フレーム５６Ａ，５６Ｂと、左右の前部縦フレーム５６Ａ，５６Ｂの上端部同士にわたって連結された左右向きの前部横フレーム５７とを有している。後側フレーム５４は、機体後側に位置して機体フレーム２Ａから立設された左右の後部縦フレーム５８Ａ，５８Ｂと、左右の後部縦フレーム５８Ａ，５８Ｂの上端部同士にわたって連結された左右向きの後部横フレーム５９とを有している。
【００５５】
左右の前部縦フレーム５６Ａ，５６Ｂは、貯留ホッパー２２よりも前下側で左右横並びに配置され、左右の後部縦フレーム５８Ａ，５８Ｂは、貯留ホッパー２２よりも後下側で左右横並びに配置されている。左側の前部縦フレーム５６Ａと左側の後部縦フレーム５８Ａは、前後方向視で重複するように配置され、右側の前部縦フレーム５６Ｂと右側の後部縦フレーム５８Ｂは、前後方向視で重複するように配置されている。
【００５６】
前部横フレーム５７の左側箇所は、左側の前部縦フレーム５６Ａよりも脱穀装置４側に向けて延びる延出部５７ｃを備えている。この延出部５７ｃの延出端部、即ち脱穀装置４の位置する側の端部に連結ブラケット６０が溶接固定されている。従って、前部横フレーム５７は、左右の前部縦フレーム５６Ａ，５６Ｂの夫々と脱穀装置４の右側壁４Ａとによって三点支持されている。前部横フレーム５７の右側箇所は、右側の前部縦フレーム５６Ｂとの連結箇所よりもすこしだけ右側外方へ延出している。
【００５７】
後部横フレーム５９の左側箇所は左側の後部縦フレーム５８Ａの上部に連結されている。後部横フレーム５９の右側箇所は、右側の後部縦フレーム５８Ｂとの連結箇所よりもすこしだけ右側外方へ延出している。
【００５８】
左側の後部縦フレーム５８Ａと後部横フレーム５９の連結箇所と、左側の前部縦フレーム５６Ａと前部横フレーム５７との連結箇所とに亘り、前後向きの前後向きフレーム５５が連結されている。このように左側の前部縦フレーム５６Ａの略真上と、左側の後部縦フレーム５８Ａの略真上と、に前後向きフレーム５５が配置されるため、前後向きフレーム５５の支持構造が安定的になる。
【００５９】
図７に示すように、前後向きフレーム５５は左右方向に幅広の板状フレームであって且つ断面形状が屈曲部５５ａを有する形状である。すなわち、前後向きフレーム５５のうち、左右方向（短手方向）において脱穀装置４の位置する側と反対側の箇所に、下方向きに折り曲げられた屈曲部５５ａが前後方向に亘って形成されている。つまり、前後向きフレーム５５は前後方向の断面視で略逆Ｕ字状に形成されている。これにより、前後向きフレーム５５の剛性が屈曲部５５ａによって高められる。
【００６０】
ホッパー支持フレーム２４に、脱穀装置４に連結され且つ左右方向に延びる左右向きフレーム６１が備えられている。左右向きフレーム６１は、前後向きフレーム５５と脱穀装置４とを連結するとともに、左右向きフレーム６１の貯留ホッパー２２側の端部が前後向きフレーム５５に載置支持されている。
【００６１】
すなわち、図５，７に示すように、左右向きフレーム６１は、左右に２分割された略帯板状のフレーム構成体６１Ａ，６１Ｂを有し、脱穀装置４の右側壁４Ａから前後向きフレーム５５の前後中間部の後部寄りの部分に向けて延設されている。２つのフレーム構成体６１Ａ，６１Ｂは中間部でボルト連結されている。左側のフレーム構成体６１Ａの左側端部は、脱穀装置４に対する連結部６２に溶接固定され、連結部６２が脱穀装置４の右側壁４Ａにボルト連結されている。右側のフレーム構成体６１Ｂの右側端部は、前後向きフレーム５５の前後中間部のうち、後部寄りの部分における上面に載置支持されている。左側のフレーム構成体６１Ａの途中部には、前後向きフレーム５５から離れるほど下方に位置するように傾斜する傾斜面が形成されている。右側のフレーム構成体６１Ｂの上面は水平な面に形成されている。
【００６２】
図５，６に示すように、前部横フレーム５７に前支持部６４が溶接固定され、後部横フレーム５９に後支持部６５が溶接固定されている。そして、前支持部６４および後支持部６５に、貯留ホッパー２２の支持部材６６の夫々がボルト連結されている。支持部材６６は、板材を折り曲げて形成され、貯留ホッパー２２の前後両側端部における傾斜面部分にボルト連結されている。このようにして貯留ホッパー２２がホッパー支持フレーム２４に支持されている。
【００６３】
図５に示すように、穀粒貯留部５には、作業デッキ４２に載置して穀粒回収作業を行う補助作業者を保護するためのガード部７０と、穀粒回収作業を行う補助作業者が握り操作可能な手摺７１とが備えられている。手摺７１は、丸パイプ材からなり、前後両側端部が前部横フレーム５７と後部横フレーム５９との夫々の機体右側端部にボルト連結されている。
【００６４】
〔ガード部について〕
図６に示すように、ガード部７０に、前側アーム部７０Ａと、後側アーム部７０Ｂと、直線状の背もたれ部７０Ｃと、が備えられている。前側アーム部７０Ａの基端部は、前部横フレーム５７の右側端部に設けられた支点ピン７４により前後軸芯Ｙ周りで揺動可能に支持され、前側アーム部７０Ａは基端部から右方向へ延びている。後側アーム部７０Ｂの基端部は、後部横フレーム５９の右側端部に設けられた支点ピン７５により揺動可能に支持され、後側アーム部７０Ｂは基端部から右方向へ延びている。背もたれ部７０Ｃの長手方向は前後方向に沿って延びている。
【００６５】
ガード部７０は複数の分割体を連結することで構成されている。すなわち、後側アーム部７０Ｂと背もたれ部７０Ｃとが一体形成されたＬ字部材７６と、前側アーム部７０Ａと、が分割体として構成されている。後側アーム部７０Ｂと背もたれ部７０Ｃとは、丸パイプ材を略Ｌ字状に折り曲げることによって、一体的なＬ字形状のＬ字部材７６に構成されている。背もたれ部７０Ｃには、筒状のクッション部材７７が装着されている。クッション部材７７は、例えばウレタン等の柔軟材で構成されている。前側アーム部７０Ａは角形パイプによって構成されている。
【００６６】
Ｌ字部材７６と前側アーム部７０Ａとが分割されている。ガード部７０が分割された状態で、背もたれ部７０Ｃに筒状のクッション部材７７が外嵌されることによって、クッション部材７７は背もたれ部７０Ｃに対して容易に装着可能となる。すなわち、図１６に示すように、背もたれ部７０Ｃの前部にピン孔７０Ｃａが形成され、前側アーム部７０Ａの遊端部に挿通孔７０Ａａが形成されている。丸パイプ材である背もたれ部７０Ｃが挿通可能な大きさとなるように、挿通孔７０Ａａは形成されている。背もたれ部７０Ｃの前部が挿通孔７１ａに差し込まれ、ピン孔７０Ｃａが前側アーム部７０Ａよりも前側に位置する状態で、ピン孔７３ａにスプリングピン７８が差し込み挿通されて抜け止めされる。これにより、背もたれ部７０Ｃは挿通孔７１ａに対して位置保持される。ピン孔７０Ｃａに差し込み挿入されたスプリングピン７８を取り外すことによって、前側アーム部７０Ａと背もたれ部７０Ｃとの連結が解除される。スプリングピン７８には、内部を通して針金７９が備えられ、作業中に外れて脱落しないようにしている。
【００６７】
図４に示されるように、ガード部７０は、前後軸芯Ｙ周りで、使用状態と格納状態とに亘って上下揺動可能に支持されている。ガード部７０の使用状態とは、背もたれ部７０Ｃが貯留ホッパー２２よりも機体横外側へ張り出して作業者の身体を受け止め可能な状態である（図４では実線で示す）。ガード部７０の格納状態とは、背もたれ部７０Ｃが機体横内側へ引退して貯留ホッパー２２の天板２２Ｃに接近する状態である（図４では仮想線で示す）。
【００６８】
前部横フレーム５７の右側端部に前側係止部８０が溶接固定され、後部横フレーム５９の右側端部に後側係止部８１が溶接固定されている。使用状態では、前側係止部８０と前側アーム部７０Ａとが接当するとともに、後側係止部８１と後側アーム部７０Ｂとが接当して、下方側への揺動を規制する。
【００６９】
ガード部７０が使用状態である場合、前側アーム部７０Ａおよび後側アーム部７０Ｂは機体横外方の箇所ほど下方に位置するように傾斜し、かつ、背もたれ部７０Ｃが作業デッキ４２の外側端部よりも機体横外側へ突出する。つまり、ガード部７０が使用状態である場合、背もたれ部７０Ｃは、前側アーム部７０Ａおよび後側アーム部７０Ｂの夫々の前後軸芯Ｙよりも下側に位置するとともに、作業デッキ４２の外側端部よりも機体横外側、即ち、貯留ホッパー２２に向き合う作業者の背中側に位置する。
【００７０】
〔保持機構について〕
ガード部７０が格納状態である場合、前側アーム部７０Ａおよび後側アーム部７０Ｂの夫々は、機体前後方向視で前後軸芯Ｙよりも機体内側へ傾斜し、背もたれ部７０Ｃは、前側アーム部７０Ａおよび後側アーム部７０Ｂの夫々の前後軸芯Ｙよりも機体内側に位置する。そして、ガード部７０を格納状態で位置保持可能な前部側保持機構８２と後部側保持機構８３とが備えられている。
【００７１】
前部側保持機構８２について説明する。
図１３，１４に示すように、貯留ホッパー２２の天板２２Ｃの上部に取り付けられた一対の支点ブラケット４４のうち、機体前側の支点ブラケット４４に、前部側保持機構８２がボルト固定によって取り付けられている。前部側保持機構８２は、例えば平板のプレス成型によって、前後方向視で略Ｃ字状となるように形成されている。機体左側端部に位置する支持基端部８２Ａが支点ブラケット４４にボルト固定されている。支持基端部８２Ａから、機体上側の上収容部８２Ｂと、機体下側の下収容部８２Ｃと、が夫々延出されている。支持基端部８２Ａから前方に反発部８２Ｄが延出されている。
【００７２】
前部側保持機構８２の機体右側端部、即ち、上収容部８２Ｂの延出先端部と、下収容部８２Ｃの延出先端部と、の夫々に、幅狭の離間距離Ｄ１を有する上下一対の案内部が形成されている。離間距離Ｄ１は、背もたれ部７０Ｃの断面直径Ｄ２よりも小さい。上収容部８２Ｂの上端部と下収容部８２Ｃの下端部との離間距離が、背もたれ部７０Ｃの断面直径Ｄ２と略同じ、または、断面直径Ｄ２よりも大きくなるように、上収容部８２Ｂおよび下収容部８２Ｃは形成されている。
【００７３】
反発部８２Ｄは、前後方向において支持基端部８２Ａの位置する側と反対側の箇所に、機体右方に突起している。背もたれ部７０Ｃの一部が収容空間の内側に入り込むと、反発部８２Ｄと背もたれ部７０Ｃとが接当して、背もたれ部７０Ｃは、反発部８２Ｄの付勢力によって押し付けられる。これにより、背もたれ部７０Ｃの収納箇所は、収容空間Ｓの内側でガタつくことなく、収容された状態に維持される。
【００７４】
後部側保持機構８３について説明する。
後部側保持機構８３は、後側アーム部７０Ｂの基端部付近に備えられている。図１５に示すように、後部側保持機構８３は、ガード部７０が格納状態にあるときに後側アーム部７０Ｂに接当して作用状態に戻ることを規制するロック作用位置と、後側アーム部７０Ｂの移動領域から引退して作用状態に戻ることを許容する解除位置とにスライド移動可能なロック部材８４と、ロック部材８４を前後方向にスライド可能に支持する側面視略Ｕ字形の支持部材８５と、ロック部材８４をロック作用位置に移動付勢するコイルバネ８６とが備えられている。
【００７５】
ロック部材８４は、棒材を略Ｌ字形に折り曲げた形状であり、支持部材８５の前後の縦面部８５ａに形成された挿通孔を挿通する状態で設けられている。ロック部材８４の支持部材８５の内部に位置する箇所にコイルバネ８６が外装され、コイルバネ８６によってロック部材８４が後側アーム部７０Ｂの移動領域に突出するように移動付勢されている。
【００７６】
後側アーム部７０Ｂが使用状態から格納状態への切り換わるときに、後側アーム部７０Ｂのうちロック作用状態に移動付勢されているロック部材８４に摺接して、後側アーム部７０Ｂの揺動に伴ってロック部材８４を解除位置に移動するように案内する案内傾斜部材８７が備えられている。
【００７７】
このような構成によって、手動操作によって後側アーム部７０Ｂを使用状態から格納状態に向けて揺動させると、案内傾斜部材８７の案内作用によってロック部材８４が解除位置に向けて押し移動されて退避するので、後側アーム部７０Ｂを格納状態に移動させることができる。後側アーム部７０Ｂが格納状態にまで揺動すると、ロック部材８４はコイルバネ８６の付勢力によって自動的にロック作用位置に復帰するので、ガード部７０が作用状態に戻ることを規制することができる。
【００７８】
〔電装品について〕
図３，４，５に示すように、電装品Ｄとして、回収空間２３を照らす作業灯８８が、前後向きフレーム５５の下方側に位置する状態でホッパー支持フレーム２４に支持されている。左側の後部縦フレーム５８Ａの前側面における前後向きフレーム５５の下方位置に、断面形状がＬ字状のアングル部材によって構成されるブラケット８９が一体連結されている。このブラケット８９に作業灯８８がボルト連結されている。作業灯８８は、幅広の前後向きフレーム５５の下方側に位置している。このように配置することで、作業灯８８に雨水が降りかかるのを防止することができる。
【００７９】
電装品Ｄとしては、作業灯８８の他、図１，３に示すように、後進状態を報知するためのブザー９０も設けられている。ブザー９０は、後側の支持部材６６に取り付けられている。
【００８０】
そして、作業灯８８やブザー９０等の貯留ホッパー２２の後部に備えられた電装品Ｄは、電気配線Ｈを介して、運転部３におけるフロントパネル１４あるいはサイドパネル１７の内方側に備えられた図示しない制御装置に接続されている。電装品Ｄは、例えば、フロントパネル１４に備えられた操作スイッチ９１（図２参照）等の操作指令に基づいて、制御装置によって運転動作が切り換えられるように構成されている。図５に示すように、電気配線Ｈは、前後向きフレーム５５に沿って前後に延びる状態で備えられている。このように構成することで、幅広で剛性の高い前後向きフレーム５５を利用して電気配線Ｈを安定的に支持することができる。尚、貯留ホッパー２２に備えられる電装品Ｄとしては、図示はしていないが、貯留ホッパー２２の貯留空間における穀粒の貯留量を検知する貯留量センサがあるが、この貯留量センサに対する電気配線も同様に、前後向きフレーム５５に沿って前後に延びる状態で備えられている。
【００８１】
〔作業台〕
次に、作業台３２について説明する。
図２，３，５に示すように、作業台３２として、揚穀装置２０よりも前側に位置する前部作業台３２Ａと、揚穀装置２０よりも後側に位置する後部作業台３２Ｂとが備えられている。前部作業台３２Ａは、後部側が前側ステーとしての前側の連結ステー２５に支持され、前部側がホッパー支持フレーム２４に支持されている。又、後部作業台３２Ｂは、前部側が後側ステーとしての後側の連結ステー２５に支持され、後部側がホッパー支持フレーム２４に支持されている。
【００８２】
説明を加えると、図５に示すように、揚穀装置２０よりも前側に位置する前部作業台３２Ａは、左右方向に幅広の板体にて構成され、前部作業台３２Ａの前部右側箇所が、ホッパー支持フレーム２４における前部横フレーム５７から立設された連結部材９３によって下面側から支持されている。連結部材９３は、帯板の上下両側が略Ｌ字に折り曲げ形成され、下端部が前部横フレーム５７の上面に溶接固定され、上端部が前部作業台３２Ａにボルト連結されている。前部作業台３２Ａの後部右側箇所が、前側の連結ステー２５に溶接固定された略Ｌ字形の支持ブラケット９４にて下面側から接当する状態で受止め支持されている。前部作業台３２Ａの左側箇所は、脱穀装置４の天板に載置支持された状態で前後方向に分散した複数箇所にてボルト連結されている。
【００８３】
後部作業台３２Ｂは、左右方向に幅広の板体にて構成され、図７にも示すように、前部右側箇所には、側面視略Ｌ字形の補強体９５が一体的に備えられ、後側の連結ステー２５に溶接固定された略Ｌ字形の支持ブラケット９６にて補強体９５を介して下面側から受止め支持されている。
【００８４】
図５，７に示すように、後部作業台３２Ｂの後部右側箇所が、脱穀装置４の右側壁４Ａから立設された第１支持ブラケット９７、及び、ホッパー支持フレーム２４における左右向きフレーム６１から立設された第２支持ブラケット９８により支持されている。後部作業台３２Ｂの左側箇所は、脱穀装置４の天板に載置支持された状態で前後方向に分散した複数箇所にてボルト連結されている。尚、支持ブラケット９６の横側に位置して後側の連結ステー２５にボルト連結されている縦板９９は、排気管を支持するための支持板である。
【００８５】
第１支持ブラケット９７は、帯板を略Ｚ字状に屈曲して形成され、下端部が脱穀装置の右側壁にボルト連結され、上に向かうほど右側に位置する傾斜姿勢で上方に延びている。
そして、上端部が後部作業台３２Ｂの右側の縦面部９２にボルト連結されている。第２支持ブラケット９８は、帯板を略Ｌ字状に屈曲して形成され、下端部が左右向きフレーム６１における左側のフレーム構成体６１Ａの傾斜面よりも右側の平坦面部分に溶接固定され、上方に向けて延びている。第２支持ブラケット９８の上端部が後部作業台３２Ｂの右側の縦面部９２にボルト連結されている。
【００８６】
このようにして、前部作業台３２Ａと後部作業台３２Ｂとが夫々、揚穀装置２０の前後両側の連結ステー２５、ホッパー支持フレーム２４、及び、脱穀装置４の夫々によって、安定的に支持されている。
【００８７】
〔別実施形態〕
（１）上記実施形態では、作業台３２が、前部作業台３２Ａと後部作業台３２Ｂとに分割され、前部作業台３２Ａの後部側が前側の連結ステー２５に支持され、前部作業台３２Ａの前部側がホッパー支持フレーム２４に支持され、後部作業台の前部側が後側ステーに支持され、後部作業台の後部側が前記ホッパー支持フレームに支持される構成としたが、この構成に代えて、前部作業台３２Ａの後部側及び後部作業台３２Ｂの前部側が、ステー２５ではなく、別途備えて専用の支持部材にて支持するようにしてもよい。又、作業台３２が前後方向に一連に連なる形状にしてもよく、ホッパー支持フレーム２４にのみ支持させる構成としてもよい。
【００８８】
（２）上記実施形態では、作業台３２が前後向きフレーム５５及び左右向きフレーム６１に支持される構成としたが、この構成に代えて、作業台３２が前側フレーム５３や後側フレーム５４に支持される構成としてもよい。
【００８９】
（３）上記実施形態では、前後向きフレーム５５は断面形状が屈曲部５５ａを有する形状としたが、この構成に代えて、前後向きフレーム５５が、平板、角筒部材、円筒部材等、種々の形状に構成されるものでもよい。
【産業上の利用可能性】
【００９０】
本発明は、刈取穀稈を脱穀処理する脱穀装置と脱穀処理された穀粒を貯留する貯留ホッパーとが左右方向に並ぶ状態で備えられているコンバインに適用できる。
【符号の説明】
【００９１】
４            脱穀装置
２０          揚穀装置
２２          貯留ホッパー
２４          ホッパー支持フレーム
２５          ステー
３２          作業台
３２Ａ        前部作業台
３２Ｂ        後部作業台
５３          前側フレーム
５４          後側フレーム
５５          前後向きフレーム
５５ａ        屈曲部
６１          左右向きフレーム
８８          作業灯
Ｄ            電装品
Ｈ            電気配線